(57)【要約】  本開示は、ライセンスされていない帯域においてセルラーカバレッジを提供するスモールセルからのWi-Fi干渉を減少させることに関する。具体的には、スモールセルは実質的にアンロードされた(たとえば、しきい値を下回るトラフィックを有する)と決定することに応答して、スモールセルは減少された干渉構成に切り替えられ得る。たとえば、スモールセルは、周波数ドメインにおける干渉を減少させるために、時間ドメインおよび/または低帯域幅構成における干渉を減少させるために低ダウンリンク構成に切り替えられ得る。あるいは(または、追加で)、スモールセル、および/またはしきい値を下回るトラフィックを有する他の任意のスモールセルは、すべての可能な干渉を同じ周波数および/またはチャネル番号に集中させるために、同じ周波数および/またはチャネル番号を切り替えることができる。さらに、本構成は電力ドメインにおいて切り替えられてよく、スモールセルに関連付けられる送信電力は、Wi-Fi測定値と組み合わせてセルラー測定値に基づいて適合され得る。
2016534655.tif 000002
【特許請求の範囲】
【請求項１】
ライセンスされていない帯域においてセルラーカバレッジを提供するスモールセルからの干渉を減少させるための方法であって、
前記スモールセルに関連付けられる負荷を決定するステップと、
前記スモールセルに関連付けられるトラフィックがしきい値を下回ることを示す前記決定された負荷に応答して、前記スモールセルを減少された干渉構成に切り替えるステップとを備え、前記スモールセルが、時間ドメイン、周波数ドメイン、電力ドメイン、またはそれらの任意の組合せのうちの少なくとも1つにおいて、前記減少された干渉構成に切り替える、方法。
【請求項２】
前記スモールセルを、前記時間ドメインにおいて前記減少された干渉構成に切り替えるステップが、
前記スモールセルを低ダウンリンク構成に切り替えるステップを備える、請求項1に記載の方法。
【請求項３】
前記低ダウンリンク構成が時分割多重(TDD)Config0ダウンリンク構成を備える、請求項2に記載の方法。
【請求項４】
前記低ダウンリンク構成が特殊サブフレーム(SSF)Config5ダウンリンク構成をさらに備える、請求項3に記載の方法。
【請求項５】
前記スモールセルを、前記周波数ドメインにおいて前記減少された干渉構成に切り替えるステップが、
前記スモールセルを低帯域幅構成に切り替えるステップを備える、請求項1に記載の方法。
【請求項６】
前記低帯域幅構成が1.25MHz帯域幅構成を備える、請求項5に記載の方法。
【請求項７】
前記スモールセルが、前記しきい値を下回るトラフィックを有する複数のスモールセルのうちの1つを備え、前記スモールセルを、前記周波数ドメインにおいて前記減少された干渉構成に切り替えるステップが、
前記複数のスモールセルを、同じ周波数、同じチャネル番号、またはそれらの任意の組合せのうちの1つまたは複数に移動させるステップを備える、請求項1に記載の方法。
【請求項８】
前記スモールセルを、前記電力ドメインにおいて前記減少された干渉構成に切り替えるステップが、
1つまたは複数のWi-Fi測定値と組み合わせて1つまたは複数のセルラー測定値に基づいて、前記スモールセルに関連付けられる送信電力を適合させるステップを備える、請求項1に記載の方法。
【請求項９】
前記スモールセルに関連付けられる前記送信電力を適合させるステップが、
前記スモールセルで、1つまたは複数のWi-Fi信号を測定するステップと、
前記1つまたは複数の測定されたWi-Fi信号に基づいて、受信された信号コード電力(RSCP)しきい値を決定するステップと
を備える、請求項8に記載の方法。
【請求項１０】
前記スモールセルに関連付けられる前記送信電力を適合させるステップが、
1つまたは複数のセルラー信号を測定するステップと、
第1のしきい値を超える前記1つまたは複数の測定されたWi-Fi信号と、前記RSCPしきい値を超える前記1つまたは複数の測定されたセルラー信号とに応答して、前記スモールセルに関連付けられる前記送信電力を減少させるステップと
をさらに備える、請求項9に記載の方法。
【請求項１１】
前記スモールセルに関連付けられる前記送信電力を適合させるステップが、
第2のしきい値を超える前記1つまたは複数の測定されたWi-Fi信号に応答して、前記RSCPしきい値を減少させるステップをさらに備える、請求項10に記載の方法。
【請求項１２】
パイロット汚染を減少させるために、1つまたは複数のWi-Fi信号との潜在的な干渉を軽減するために、あるいはそれらの組合せのために、前記スモールセルが、前記減少された干渉構成を自律的に切り替える、請求項1に記載の方法。
【請求項１３】
前記スモールセルに関連付けられる前記トラフィックが前記しきい値を満たす、またはそれを超えるように、前記スモールセルに関連付けられる前記負荷が変更したと決定するステップに応答して、前記減少された干渉構成を出るステップをさらに備える、請求項1に記載の方法。
【請求項１４】
ライセンスされていない帯域においてセルラーカバレッジを提供するように構成されたエアインターフェースと、
前記スモールセルに関連付けられる負荷を決定して、前記スモールセルがしきい値を下回るトラフィックを有することを示す前記決定された負荷に応答して、時間ドメイン、周波数ドメイン、電力ドメイン、またはそれらの任意の組合せのうちの少なくとも1つにおける前記スモールセルに関連付けられる構成を切り替えるように構成された少なくとも1つのプロセッサを備えるホストと
を備える、スモールセル。
【請求項１５】
前記少なくとも1つのプロセッサが、前記時間ドメインにおける干渉を減少させるために、前記スモールセルに関連付けられる前記構成を低ダウンリンク構成に切り替えるように構成される、請求項14に記載のスモールセル。
【請求項１６】
前記低ダウンリンク構成が、時分割多重(TDD)Config0ダウンリンク構成、特殊サブフレーム(SSF)Config5ダウンリンク構成、またはそれらの任意の組合せのうちの1つまたは複数を備える、請求項14に記載のスモールセル。
【請求項１７】
前記少なくとも1つのプロセッサが、前記周波数ドメインにおける干渉を減少させるために、前記スモールセルに関連付けられる前記構成を低帯域幅構成に切り替えるように構成される、請求項14に記載のスモールセル。
【請求項１８】
前記少なくとも1つのプロセッサが、前記周波数ドメインにおける干渉を減少させるために、前記スモールセルを、前記しきい値を下回るトラフィックを有する1つまたは複数の追加のスモールセルと同じ周波数または同じチャネル番号のうちの1つまたは複数に切り替えるように構成される、請求項14に記載のスモールセル。
【請求項１９】
前記少なくとも1つのプロセッサが、前記電力ドメインにおける干渉を減少させるために、1つまたは複数のWi-Fi測定値と組み合わせて1つまたは複数のセルラー測定値に基づいて、前記スモールセルに関連付けられる送信電力を適合させるように構成される、請求項14に記載のスモールセル。
【請求項２０】
1つまたは複数のWi-Fi信号を測定するように構成され、前記少なくとも1つのプロセッサが、前記1つまたは複数の測定されたWi-Fi信号に基づいて、受信された信号コード電力(RSCP)しきい値を決定するようにさらに構成される、第1のネットワークリッスンモジュールと、
1つまたは複数のセルラー信号を測定するように構成され、前記少なくとも1つのプロセッサが、前記第1のしきい値を超える前記1つまたは複数の測定されたWi-Fi信号と、前記RSCPしきい値を超える前記1つまたは複数の測定されたセルラー信号とに応答して、前記スモールセルに関連付けられる前記送信電力を減少させるようにさらに構成される、第2のネットワークリッスンモジュールと
をさらに備える、請求項19に記載のスモールセル。
【請求項２１】
前記少なくとも1つのプロセッサが、第2のしきい値を超える前記1つまたは複数の測定されたWi-Fi信号に応答して、前記RSCPしきい値を減少させるようにさらに構成される、請求項20に記載のスモールセル。
【請求項２２】
前記少なくとも1つのプロセッサが、前記しきい値を満たす、またはそれを超える、トラフィックを有する前記スモールセルに応答して、前記スモールセルに関連付けられる前記構成を以前の状態に切り替えるようにさらに構成される、請求項14に記載のスモールセル。
【請求項２３】
ライセンスされていない帯域においてセルラーカバレッジを提供するスモールセルに関連付けられる負荷を決定するための手段と、
前記スモールセルに関連付けられるトラフィックがしきい値を下回ることを示す前記決定された負荷に応答して、時間ドメイン、周波数ドメイン、電力ドメイン、またはそれらの任意の組合せのうちの少なくとも1つにおいて干渉を減少させるために、前記スモールセルに関連付けられる構成を切り替えるための手段と
を備える、装置。
【請求項２４】
切り替えるための前記手段が、前記時間ドメインにおける干渉を減少させるために、前記スモールセルに関連付けられる前記構成を低ダウンリンク構成に切り替えるように構成される、請求項23に記載の装置。
【請求項２５】
切り替えるための前記手段が、前記周波数ドメインにおける干渉を減少させるために、前記スモールセルに関連付けられる前記構成を、低帯域幅構成、前記しきい値を下回るトラフィックを有する1つまたは複数の追加のスモールセルと同じ周波数、あるいは前記しきい値を下回るトラフィックを有する前記1つまたは複数の追加のスモールセルと同じチャネル番号のうちの1つまたは複数に切り替えるように構成される、請求項23に記載の装置。
【請求項２６】
切り替えるための前記手段が、前記電力ドメインにおける干渉を減少させるために、1つまたは複数のWi-Fi測定値と組み合わせて1つまたは複数のセルラー測定値に基づいて、前記スモールセルに関連付けられる送信電力を適合させるように構成される、請求項23に記載の装置。
【請求項２７】
コンピュータ実行可能命令を記録したコンピュータ可読記憶媒体であって、少なくとも1つのプロセッサ上で前記コンピュータ実行可能命令を実行することが、前記少なくとも1つのプロセッサに、
ライセンスされていない帯域においてセルラーカバレッジを提供するスモールセルに関連付けられる負荷を決定することと、
前記スモールセルがしきい値を下回るトラフィックを有することを示す前記決定された負荷に応答して、時間ドメイン、周波数ドメイン、電力ドメイン、またはそれらの任意の組合せのうちの少なくとも1つにおける干渉を減少させるために、前記スモールセルに関連付けられる構成を切り替えることと
を行わせる、コンピュータ可読記憶媒体。
【請求項２８】
前記プロセッサ上で前記コンピュータ実行可能命令を実行することが、前記プロセッサに、前記時間ドメインにおける干渉を減少させるために、前記スモールセルに関連付けられる前記構成を低ダウンリンク構成に切り替えることをさらに行わせる、請求項27に記載のコンピュータ可読媒体。
【請求項２９】
前記プロセッサ上で前記コンピュータ実行可能命令を実行することが、前記周波数ドメインにおける干渉を減少させるために、前記プロセッサに、前記スモールセルに関連付けられる前記構成を、低帯域幅構成、前記しきい値を下回るトラフィックを有する1つまたは複数の追加のスモールセルと同じ周波数、あるいは前記しきい値を下回るトラフィックを有する前記1つまたは複数の追加のスモールセルと同じチャネル番号のうちの1つまたは複数に切り替えることを行わせる、請求項27に記載のコンピュータ可読媒体。
【請求項３０】
前記プロセッサ上で前記コンピュータ実行可能命令を実行することが、前記プロセッサに、前記電力ドメインにおける干渉を減少させるために、1つまたは複数のWi-Fi測定値と組み合わせて1つまたは複数のセルラー測定値に基づいて、前記スモールセルに関連付けられる送信電力を適合させることを行わせる、請求項27に記載のコンピュータ可読媒体。
【発明の詳細な説明】
【技術分野】
【０００１】
関連出願への相互参照
本特許出願は、本願の譲受人に譲渡され、その全体が参照により本明細書に明示的に組み込まれる、2013年9月4日に出願された「REDUCING INTERFERENCE FROM LTE IN UNLICENSED BANDS」と題する仮特許出願第61/873,717号の利益を主張する。
【背景技術】
【０００２】
ワイヤレス通信システムは、音声、データ等の様々なタイプの通信コンテンツを提供するために、広く展開されている。典型的なワイヤレス通信システムは、利用可能なシステムリソース(たとえば、帯域幅、送信電力等)を共有することによって複数のユーザとの通信をサポートすることが可能な多元接続システムである。そのような多元接続システムの例には、符号分割多元接続(CDMA)システム、時分割多元接続(TDMA)システム、周波数分割多元接続(FDMA)システム、直交周波数分割多元接続(OFDMA)システム、およびその他がある。これらのシステムは、多くの場合、第3世代パートナーシッププロジェクト(3GPP)、3GPPロングタームエボリューション(LTE)、ウルトラモバイルブロードバンド(UMB)、エボリューションデータ最適化(evolution data optimized、EV-DO)等の仕様に準拠して展開されている。
【０００３】
セルラーネットワークでは、マクロスケール基地局(または、マクロNodeB (MNB))が、特定の地理的領域にわたる多数のユーザに接続性およびカバレッジを提供する。マクロネットワークの展開は、地理的領域にわたって良好なカバレッジを提供するために、慎重に計画、設計、および実装される。しかしながら、そのような慎重な計画さえも、特に屋内環境では、フェーディング、マルチパス、シャドーイング等のチャネル特性に完全に対応することはできない。したがって、屋内のユーザは、多くの場合、カバレッジの問題(たとえば、通話停止および品質劣化)に直面し、ユーザエクスペリエンスの低下をもたらす。
【０００４】
住居やオフィスビルなどの屋内セルラーカバレッジを拡張するために、従来のマクロネットワークを補完するべく、追加の小カバレッジ、典型的には低電力基地局が最近展開され始めており、モバイルデバイスのためのより堅牢なワイヤレスカバレッジを提供している。これらの小カバレッジ基地局は、一般的に、Home NodeBまたはHome eNB(集合的に、H(e)NB)、フェムトノード、フェムトセル、フェムトセル基地局、ピコノード、マイクロノード等と呼ばれており、増加する容量増大、よりリッチなユーザエクスペリエンス、建物内または他の特定の地理的カバレッジなどのために展開され得る。そのような小カバレッジ基地局は、たとえば、デジタル加入者回線(DSL)ルータまたはケーブルモデムを介して、インターネット、およびモバイル事業者のネットワークに接続され得る。しかし、多数の小カバレッジ基地局(または、単に「スモールセル」)の計画外の展開は、いくつかの点で困難な場合がある。
【先行技術文献】
【非特許文献】
【０００５】
【非特許文献１】IEEE802.3
【非特許文献２】IEEE802.5
【非特許文献３】IEEE802.11
【非特許文献４】IEEE802.15.1
【非特許文献５】IEEE802.11xプロトコル
【非特許文献６】802.11xアクセスポイント
【非特許文献７】3GPP TS22.011、セクション4.2
【発明の概要】
【課題を解決するための手段】
【０００６】
本開示は、一般的に、パイロット汚染を減少させること、および/または、ライセンスされていない帯域においてセルラー(たとえば、LTE)カバレッジを提供するスモールセルからの潜在的なWi-Fi干渉を軽減することに関する。具体的には、スモールセルがトラフィックを有していない、またはしきい値を下回るトラフィックを有していると決定することに応答して、スモールセルは実質的にアンロードされたと考えられてよく、したがって、パイロット汚染を減少させる、および/または潜在的なWi-Fi干渉を軽減することができる構成に切り替える。たとえば、スモールセルに関連付けられる構成を切り替えるステップは、スモールセルを低ダウンリンク構成に切り替えるステップ、スモールセルを低帯域幅構成に切り替えるステップ、スモールセルと、トラフィックを有していない、またはしきい値を下回るトラフィックを有する1つまたは複数の追加のスモールセルとを同じ周波数および/あるいはチャネル番号に移動させるステップ、Wi-Fi測定値と組み合わせてセルラー測定値に基づいて、ネットワークカバレッジ、容量、および干渉影響間のトレードオフのバランスを取ることができる方法で、スモールセルに関連付けられる送信電力を管理するステップ、またはそれらの任意の適切な組合せを備え得る。
【０００７】
本開示の一態様によれば、ライセンスされていない帯域においてセルラーカバレッジを提供するスモールセルからの干渉を減少させるための方法は、とりわけ、スモールセルに関連付けられる負荷を決定するステップと、スモールセルに関連付けられるトラフィックがしきい値を下回ることを示す決定された負荷に応答して、スモールセルを減少された干渉構成に切り替えるステップとを備えてよく、スモールセルは、時間ドメイン、周波数ドメイン、または電力ドメインのうちの少なくとも1つにおいて、減少された干渉構成に切り替えることができる。たとえば、スモールセルを、時間ドメインにおいて減少された干渉構成に切り替えるステップは、スモールセルを低ダウンリンク構成(たとえば、時分割二重(TDD) Config0、および特殊サブフレーム(SSF)Config5)に切り替えるステップを備え得る。別の例では、スモールセルを、周波数ドメインにおいて減少された干渉構成に切り替えるステップは、アンロードされたスモールセルを低帯域幅構成(たとえば、スモールセルは、通常20MHz帯域幅構成、または別の適切な高帯域幅構成に従って動作し得るが、1.25MHz帯域幅構成)に切り替えるステップを備え得る。あるいは(または、追加で)、スモールセルが、複数のアンロードされたスモールセル(たとえば、トラフィックを有していない、またはしきい値を下回るトラフィックを有する複数のスモールセル)のうちの1つを備える場合、スモールセルを周波数ドメインにおいて減少された干渉構成に切り替えるステップは、アンロードされたスモールセルからのすべての可能な干渉が同じ周波数および/またはチャネル番号に集約されて、他のすべての周波数および/またはチャネル番号が干渉から解放され得るように、各アンロードされたスモールセルを同じ周波数および/またはチャネル番号に移動させるステップを備え得る。別の態様によれば、スモールセルを、電力ドメインにおいて減少された干渉構成に切り替えるステップは、1つまたは複数のWi-Fi測定値と組み合わせて1つまたは複数のセルラー測定値に基づいて、カバレッジ、容量、および干渉影響間のトレードオフのバランスを取るために、スモールセルに関連付けられる送信電力を適合させるステップを備え得る。たとえば、受信された信号コード電力(RSCP)しきい値は、1つまたは複数の測定されたWi-Fi信号に基づいて決定されてよく、スモールセルに関連付けられる送信電力は、第1のしきい値を超える測定されたWi-Fi信号と、RSCPしきい値を超える測定されたセルラー信号とに応答して減少され得る。さらに、測定されたWi-Fi信号が第2のしきい値を超える場合、より強いWi-Fi信号が測定されると送信電力がより積極的に減少され得るように、RSCPしきい値は減少され得る。
【０００８】
本開示の別の態様によれば、スモールセルは、とりわけ、ライセンスされていない帯域においてセルラーカバレッジを提供するように構成されたエアインターフェースと、スモールセルに関連付けられる負荷を決定して、スモールセルがしきい値を下回るトラフィックを有することを示す決定された負荷に応答して、時間ドメイン、周波数ドメイン、または電力ドメインのうちの少なくとも1つにおけるスモールセルに関連付けられる構成を切り替えるように構成された少なくとも1つのプロセッサを備えるホストとを備え得る。たとえば、一実装形態では、少なくとも1つのプロセッサは、時間ドメインにおける干渉を減少させるために、スモールセルに関連付けられる構成を低ダウンリンク構成に切り替えるように構成され得る。他の例では、少なくとも1つのプロセッサは、周波数ドメインにおける干渉を減少させるために、スモールセルに関連付けられる構成を低帯域幅構成に切り替える、および/または、スモールセルを、しきい値を下回るトラフィックを有する1つまたは複数の追加のスモールセルと同じ周波数または同じチャネル番号のうちの1つまたは複数に切り替えるように構成され得る。別の例では、少なくとも1つのプロセッサは、電力ドメインにおける干渉を減少させるために、Wi-Fi測定値と組み合わせてセルラー測定値に基づいて、スモールセルに関連付けられる送信電力を適合させるように構成され得る。
【０００９】
本開示の別の態様によれば、装置は、ライセンスされていない帯域においてセルラーカバレッジを提供するスモールセルに関連付けられる負荷を決定するための手段と、しきい値を下回るトラフィックを有するスモールセルに応答して、時間ドメイン、周波数ドメイン、または電力ドメインのうちの少なくとも1つにおいて干渉を減少させるために、スモールセルに関連付けられる構成を切り替えるための手段とを備え得る。たとえば、一実装形態では、切り替えるための手段は、時間ドメインにおける干渉を減少させるために、スモールセルに関連付けられる構成を低ダウンリンク構成に切り替えて、周波数ドメインにおける干渉を減少させるために、スモールセルに関連付けられる構成を、低帯域構成、しきい値を下回るトラフィックを有する1つまたは複数の追加のスモールセルと同じ周波数、あるいはしきい値を下回るトラフィックを有する1つまたは複数の追加のスモールセルと同じチャネル番号のうちの1つまたは複数に切り替えて、および/または、電力ドメインにおける干渉を減少させるために、Wi-Fi測定値と組み合わせてセルラー測定値に基づいて、スモールセルに関連付けられる送信電力を適合させるように構成され得る。
【００１０】
本開示の別の態様によれば、コンピュータ可読記憶媒体は、コンピュータ実行可能命令を記録することができ、少なくとも1つのプロセッサ上でコンピュータ実行可能命令を実行することは、少なくとも1つのプロセッサに、ライセンスされていない帯域においてセルラーカバレッジを提供するスモールセルに関連付けられる負荷を決定することと、スモールセルがしきい値を下回るトラフィックを有することを示す負荷に応答して、時間ドメイン、周波数ドメイン、または電力ドメインのうちの少なくとも1つにおける干渉を減少させるために、スモールセルに関連付けられる構成を切り替えることとを行わせる。たとえば、様々な実装形態では、スモールセルに関連付けられる構成は、時間ドメインにおける干渉を減少させるために低ダウンリンク構成に切り替えられてよく、スモールセルに関連付けられる構成は、周波数ドメインにおける干渉を減少させるために、低帯域幅構成、しきい値を下回るトラフィックを有する1つまたは複数の追加のスモールセルと同じ周波数、あるいはしきい値を下回るトラフィックを有する1つまたは複数の追加のスモールセルと同じチャネル番号のうちの1つまたは複数に切り替えられてよく、および/または、スモールセルに関連付けられる送信電力は、電力ドメインにおける干渉を減少させるために、Wi-Fi測定値と組み合わせてセルラー測定値に基づいて適合され得る。
【００１１】
本明細書に開示された態様に関連付けられる他の目的および利点は、添付の図面および以下の詳細な説明に基づいて、当業者には明らかであろう。
【００１２】
添付の図面は、本開示の様々な態様を説明するのを助けるために提示されており、単に例示のためであり、それらを限定するために提供されているものではない。
【図面の簡単な説明】
【００１３】
【図１】本開示の一態様による、例示的な進化型パケットシステム(EPS)またはロングタームエボリューション(LTE)ネットワークアーキテクチャを示す図である。
【図２】本開示の一態様による、多元接続通信の原理を示す、例示的なワイヤレス通信ネットワークを示す図である。
【図３】本開示の一態様による、特定のスペクトルを共有する2つ以上のシステムを有する例示的な環境を示す図である。
【図４】本開示の一態様による、図3に示される例示的な環境などの共有されたスペクトル環境において動作可能な例示的なワイヤレス通信システムを示す図である。
【図５Ａ】本開示の様々な態様による、マクロセルとともにスモールセルが展開される、例示的な混合通信ネットワーク環境を示す図である。
【図５Ｂ】本開示の様々な態様による、図5Aに示される混合通信ネットワーク環境において使用され得る例示的なスモールセルを示す図である。
【図６】本開示の一態様による、図5A〜図5Bに示されるスモールセルに対応し得る、および、図5Aに示される混合通信ネットワーク環境において使用され得る、例示的なスモールセル装置を示す図である。
【図７Ａ】本開示の一態様による、共有スペクトルおよび/または混合通信ネットワーク環境においてダウンリンク上で使用され得る、例示的な送信構造を示す図である。
【図７Ｂ】本開示の一態様による、事業者間の共存を可能にするために、共有された、またはライセンスされていないスペクトル環境においてブロードキャストされ得る例示的な共存シグナリングメッセージを示す図である。
【図８】本開示の一態様による、ライセンスされていない帯域においてセルラーカバレッジを提供するアンロードされたスモールセルからの干渉を減少させるための例示的な方法を示す図である。
【図９】本開示の一態様による、ライセンスされていない帯域においてセルラーカバレッジを提供するアンロードされたスモールセルからの干渉を減少させるための、別の例示的な方法を示す図である。
【図１０】本開示の一態様による、ライセンスされていない帯域においてセルラーカバレッジを提供するアンロードされたスモールセルからの干渉を減少させるために使用され得る、例示的なモジュラーアーキテクチャを示す図である。
【図１１】本開示の一態様による、ライセンスされていない帯域においてセルラーカバレッジを提供するスモールセルからの干渉を減少させることを容易にし得る、例示的なシステムを示す図である。
【図１２】本開示の一態様による、機能を実行するように構成された論理を含む通信デバイスを示す図である。
【図１３】本明細書に記載される任意の実装形態および/または態様に関連して使用され得る、例示的なサーバを示す図である。
【発明を実施するための形態】
【００１４】
以下の説明および関連する図面に、様々な態様が開示される。本開示の範囲から逸脱することなく、代替の態様が考案され得る。さらに、本開示の関連する詳細を不明瞭にしないように、本開示のよく知られている要素は詳細に説明されないか、または省略される。
【００１５】
本明細書では、「例示的(exemplary)」という単語は「例、事例、または例示として働く(serving as an example, instance, or illustration)」を意味するために使用される。「例示的」として本明細書に記載される任意の態様は、必ずしも他の態様よりも好ましい、または有利であると解釈されるべきではない。同様に、「本開示の態様(aspects of the disclosure)」という用語は、本開示のすべての態様が、議論された特徴、利点、または動作モードを含むことを必要とするものではない。
【００１６】
本明細書で用いられる用語は、具体的な態様について説明することのみを目的とするものであり、本開示を限定することは意図されない。本明細書で使用される単数形「a」、「an」、および「the」は、文脈が別段に明確に示すのでなければ、複数形をも含むものとする。本明細書で使用される場合、「備える(comprises)」、「備えている(comprising)」、「含む(includes)」、および/または「含んでいる(including)」という用語は、述べられた特徴、整数、ステップ、動作、要素、および/または構成要素の存在を特定するが、1つまたは複数の他の特徴、整数、ステップ、動作、要素、構成要素、および/またはそれらのグループの存在または追加を排除するものではないことがさらに理解されよう。
【００１７】
さらに、様々な態様が、たとえば、コンピューティングデバイスの要素によって実行されるべき動作の観点から説明されている。本明細書に記載される様々な動作は、特定の回路(たとえば、特定用途向け集積回路(ASIC))によって、1つまたは複数のプロセッサによって実行されるプログラム命令によって、あるいはその両方の組合せによって実行され得ることが認識されるであろう。さらに、本明細書に記載されるこれらの動作は、実行時に、関連するプロセッサに本明細書に記載された機能を実行させる、コンピュータ命令の対応するセットを記憶した任意の形式のコンピュータ記憶媒体内に完全に具現化されると考えられ得る。したがって、本開示の様々な態様は、いくつかの異なる形態で具現化されてよく、それらのすべてが、クレームに記載された対象の範囲内であることが意図されている。さらに、本明細書に記載される態様ごとに、任意のそのような態様の対応する形態は、本明細書では、たとえば、記載される動作を実行する「ように構成された論理(logic configured to)」として記載され得る。
【００１８】
本開示の様々な態様によれば、本明細書に記載される様々なメカニズムは、ライセンスされていない帯域においてセルラー(たとえば、LTE)カバレッジを提供するアンロードされたスモールセルからのWi-Fi干渉を減少させるために使用され得る技法に一般的に関連し得る。たとえば、アンロードされたスモールセルが1つまたは複数のWi-Fi信号との干渉を引き起こす可能性があると決定するステップに応答して、アンロードされたスモールセルは、低いダウンリンク構成(たとえば、スモールセルに関連付けられるカバレッジエリア内、またはその近隣で送信されるWi-Fi信号と干渉する可能性がある、より少数のダウンリンクアクティビティがあり得るように、比較的少数のダウンリンクサブフレーム、およびより多くのアップリンクサブフレームを有する構成)に切り替えることができる。別の例では、アンロードされたスモールセルは、元の帯域幅構成と低帯域幅構成との間の差に基づいて要因に従ってスモールセルに関連付けられるカバレッジ領域内、またはその近傍の任意のWi-Fi信号との干渉を減少させることができる、低帯域幅構成に切り替えることができる。さらに、複数のアンロードされたスモールセルがあり得る場合、アンロードされたスモールセルからのすべての可能な干渉が同じ周波数および/またはチャネル番号に集約されて、他のすべての周波数および/またはチャネル番号が干渉から解放され得るように、各アンロードされたスモールセルは、同じ周波数および/またはチャネル番号に切り替えることができる。別の例では、アンロードされたスモールセルは、ネットワークカバレッジ、容量、および干渉影響間のトレードオフのバランスを取ることができる方法で、それに関連付けられる送信電力を管理するために、Wi-Fi測定値と組み合わせてセルラー測定値を使用することができる。さらに、特定の使用事例では、スモールセルは、上述の干渉減少技法のうちのいずれか1つをスタンドアロン方法で、または上述の干渉減少技法のうちの複数を組み合わせて(たとえば、異なる干渉減少技法を適用するためのシーケンスを定義する階層に従って)使用することができ、および/または、スモールセルがその後負荷の増加を経験し、したがってもはや実質的にアンロードされていない場合、減少された干渉モードを出ることができる。
【００１９】
本明細書に記載される技法は、マクロスケールのカバレッジ(たとえば、典型的にマクロセルネットワークと呼ばれる、3Gまたは4Gネットワークなどの広面積セルラーネットワーク)、および、より小さいスケールのカバレッジ(たとえば、住居ベースまたは建物ベースのネットワーク環境)を含むネットワークで使用され得る。ユーザデバイスがそのようなネットワークを通じて移動するときに、ユーザデバイスは、マクロカバレッジを提供する基地局によって特定の場所で、また、より小さいスケールのカバレッジを提供する基地局によって他の場所でサービスされ得る。上記で背景において簡単に論じたように、より小さいカバレッジの基地局は、著しい容量増大、建物内のカバレッジ、および、場合によってはより堅牢なユーザ経験のための異なるサービスを提供するために使用され得る。本明細書の議論では、比較的大きい領域にわたってカバレッジを提供する基地局は、通常マクロ基地局と呼ばれ、比較的小さい領域(たとえば、住居)にわたってカバレッジを提供する基地局は、通常フェムト基地局、またはより一般的に「スモールセル」と呼ばれる。マクロ領域より小さいがフェムト領域よりも大きい領域にわたってカバレッジを提供する中間基地局は、通常、ピコ基地局と呼ばれる(たとえば、商業ビル内のカバレッジを提供する)。しかしながら、便宜上、本明細書の開示は、ピコ基地局は、より大きいカバレッジ領域に同じまたは同様の機能を提供することができることを理解した上で、スモールセルまたは他の適切な小カバレッジ基地局に関連する文脈において様々な機能を記述することができる。マクロ基地局、スモールセル、またはピコ基地局に関連付けられるセルは、それぞれマクロセル、フェムトセル、またはピコセルと呼ばれ得る。いくつかのシステム実装形態では、各セルはさらに、1つまたは複数のセクタに関連付けられ(たとえば、分割され)得る。
【００２０】
様々な用途において、マクロ基地局、スモールセル(またはフェムト基地局)、ピコ基地局、ユーザデバイス、および/または他のデバイスを参照するために、他の用語が使用され得ることが理解されるであろう。しかしながら、当業者は、そのような用語の使用は、一般的に、本明細書の説明によって記載された、または容易にされた態様に関連して特定の技術を想起させる、または排除することが意図されるものではないことをさらに理解するであろう。たとえば、マクロ基地局は、マクロノード、NodeB、進化型NodeB(eNodeB)、マクロセルなどとして構成されてもよく、あるいはそう呼ばれてもよい。スモールセルは、フェムト基地局、フェムトノード、Home NodeB、Home eNodeB、フェムトセル、小カバレッジ基地局などとして構成されてもよく、あるいはそう呼ばれてもよい。ユーザデバイスは、デバイス、ユーザ機器(UE)、加入者ユニット、加入者局、移動局、モバイルデバイス、アクセス端末などとして構成されてもよく、あるいはそう呼ばれてもよい。便宜上、本明細書の開示は、一般的な「基地局(base station)」および「ユーザデバイス(user device)」の文脈において様々な機能を記述する傾向があり、記述の特定の文脈によって別段の指示がない限り、すべてのワイヤレスシステムにおける対応する技術および専門用語を網羅することが意図される。
【００２１】
本開示の一態様によれば、図1は、進化型パケットシステム(EPS)とも呼ばれ得る、例示的なロングタームエボリューション(LTE)ネットワークアーキテクチャ100を示している。一実施態様では、EPS100は、少なくとも1つのユーザ機器(UE)102、進化型UMTS地上無線アクセスネットワーク(E-UTRAN)104、進化型パケットコア(EPC)110、ホーム加入者サーバ(HSS)120、および事業者のインターネットプロトコル(IP)サービス122を含み得る。EPS100は他のアクセスネットワークと相互接続することができるが、簡単にするためにそれらのエンティティ/インターフェースは表示されない。図示されるように、EPS100はパケット交換サービスを提供するが、当業者なら容易に理解できるように、本開示全体にわたって提示される様々な概念は、回線交換サービスを提供するネットワークに拡張され得る。
【００２２】
一実装形態では、E-UTRAN104は、進化型NodeB(eNB)106および他のeNB108を含み得る。eNB106は、ユーザおよび制御プレーンに、UE102に向かうプロトコル終端を提供し、バックホール(たとえば、X2インターフェース)を介して他のeNB108に接続され得る。eNB106は、基地局、ノードB、アクセスポイント、トランシーバ基地局、無線基地局、無線トランシーバ、トランシーバ機能、基本サービスセット(BSS)、拡張サービスセット(ESS)、または他の何らかの適切な用語で呼ばれる場合もある。eNB106は、UE102にEPC110へのアクセスポイントを提供する。UE102の例には、セルラー電話、スマートフォン、セッション開始プロトコル(SIP)電話、ラップトップ、携帯情報端末(PDA)、衛星ラジオ、全地球測位システム、マルチメディアデバイス、ビデオデバイス、デジタルオーディオプレーヤ(たとえば、MP3プレーヤ)、カメラ、ゲーム機、タブレット、または他の任意の類似の機能デバイスがある。UE102はまた、当業者により、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または他の何らかの適切な用語で呼ばれる場合もある。
【００２３】
eNB106は、モビリティ管理エンティティ(MME)112、他のMME114、サービングゲートウェイ116、マルチメディアブロードキャストマルチキャストサービス(MBMS)ゲートウェイ124、ブロードキャストマルチキャストサービスセンタ(BM-SC)126、およびパケットデータネットワーク(PDN)ゲートウェイ118を含むEPC110に接続され得る。MME112は、UE102とEPC110との間のシグナリングを処理する制御ノードである。通常、MME112は、ベアラおよび接続管理を提供する。すべてのユーザのIPパケットは、それ自体がPDNゲートウェイ118に接続されている、サービングゲートウェイ116を通じて転送される。PDNゲートウェイ118は、UEのIPアドレスの割当てだけでなく、他の機能を提供する。PDNゲートウェイ118は、事業者のIPサービス122に接続される。事業者のIPサービス122は、インターネット、イントラネット、IPマルチメディアサブシステム(IMS)、およびPSストリーミングサービス(PSS)を含む場合がある。BM-SC126は、MBMSユーザサービスのプロビジョニングおよび送達のための機能を実現することができる。BM-SC126は、コンテンツプロバイダのMBMS送信用のエントリポイントとして働くことができ、PLMN内のMBMSベアラサービスを認証し開始するために使用することができ、MBMS送信をスケジュールし送達するために使用することができる。MBMSゲートウェイ124は、特定のサービスをブロードキャストしているマルチキャストブロードキャスト単一周波数ネットワーク(MBSFN)領域に属するeNB(たとえば、106、108)にMBMSトラフィックを分散するために使用することができ、セッション管理(開始/停止)、およびeMBMS関連の課金情報の収集を担当することができる。
【００２４】
図2は、多元接続通信の原理を示す、例示的なワイヤレス通信ネットワークを示している。図示されたワイヤレス通信ネットワーク200は、いくつかのユーザ間の通信をサポートするように構成されている。図示されるように、ワイヤレス通信ネットワーク200は、図示されたセル202A〜202Gなどの、1つまたは複数のセル202に分割され得る。セル202A〜202G内の通信カバレッジは、たとえば、図示される基地局204A〜204Gなどの1つまたは複数の基地局204によって提供され得る。このように、各基地局204は、対応するセル202に通信カバレッジを提供することができる。基地局204は、図示されたユーザデバイス206A〜206Lなどの複数のユーザデバイス206と相互作用することができる。
【００２５】
各ユーザデバイス206は、ダウンリンク(DL)および/またはアップリンク(UL)上で、基地局204のうちの1つまたは複数と通信することができる。一般的に、DLは基地局からユーザデバイスへの通信リンクであり、ULはユーザデバイスから基地局への通信リンクである。基地局204は、それらが相互に、および/または他のネットワーク装置と通信することを可能にする適切なワイヤードまたはワイヤレスインターフェースによって相互接続され得る。したがって、各ユーザデバイス206はまた、基地局204のうちの1つまたは複数を通じて別のユーザデバイス206と通信することができる。たとえば、ユーザデバイス206Jは、以下の方法でユーザデバイス206Hと通信することができる:ユーザデバイス206Jは基地局204Dと通信することができ、次いで、基地局204Dは基地局204Bと通信することができ、次いで、基地局204Bはユーザデバイス206Hと通信することができ、ユーザデバイス206Jとユーザデバイス206Hとの間で通信が確立されることを可能にする。
【００２６】
ワイヤレス通信ネットワーク200は、大きな地理的領域にわたってサービスを提供することができる。たとえば、セル202A〜202Gは、地方の環境における近隣や数平方マイル内のいくつかのブロックをカバーすることができる。上述のように、いくつかのシステムでは、各セルは1つまたは複数のセクタ(図示せず)にさらに分割され得る。さらに、基地局204は、ユーザデバイス206に、それらのそれぞれのカバレッジエリア内で、インターネットまたは別のセルラーネットワークなどの他の通信ネットワークへのアクセスを提供することができる。さらに上述したように、各ユーザデバイス206は、通信ネットワークを介して音声またはデータを送受信するためにユーザによって使用される、ワイヤレス通信デバイス(たとえば、モバイル電話、ルータ、パーソナルコンピュータ、サーバ、等)であってよく、代替で、アクセス端末(AT)、移動局(MS)、ユーザ機器(UE)等と呼ばれ得る。図2に示される例では、ユーザデバイス206A、206H、および206Jはルータを備え、ユーザデバイス206B〜206G、206I、206K、および206Lはモバイル電話を備える。しかしながら、やはり、ユーザデバイス206A〜206Lのそれぞれは任意の適切な通信デバイスを備え得る。
【００２７】
本開示の一態様によれば、図3は、特定のスペクトル(たとえば、ライセンスされていないセルラー帯域)を共有する2つ以上のシステムを有する例示的な環境300を示している。基地局(BS)302は、このように限定されるものではないが、パケットベースのシステムなどの、第1のシステムまたはネットワークのためのカバレッジ304に影響を与える。同様に、第2のシステム(たとえば、別のパケットベースのシステム)は、カバレッジエリア308を有する基地局(BS)306に影響される。説明の目的のために、図3は、スペクトルがBS302およびBS306によって実装される少なくとも2つのシステム間で共有される、共通の環境310を示している。図示された幾何学的形状および領域は単なる例示であり、環境310は、スペクトルが、少なくともプライマリシステムと少なくとも1つのセカンダリシステムとで共有され得る任意の環境を暗示することが分かる。さらに、図3は、BS306によって影響を与えられる第2のネットワークのシステムパラメータとは異なる第1のネットワークに影響を与える、BS302を有する異種ネットワークの場合を示している。さらに、図示される第1のネットワークおよび第2のネットワークは、それぞれプライマリネットワークおよびセカンダリネットワークのいずれかであってもよく、両方がセカンダリネットワークであってもよい。各システムは、BS302と通信している第1のSS312、およびBS306と通信している第2のSS314によって示される、1つまたは複数の加入者局(SS)との通信のために動作可能である。各SS312、314は、それぞれ、ダウンリンク(DL)チャネル316および318と、アップリンク(UL)320および322との両方において、BS302、BS306との通信が可能である。
【００２８】
本開示の一態様によれば、図4は、図3に示される、および上述の例示的な環境などの共有されたスペクトル環境において動作可能な例示的なワイヤレス通信システム400を示している。一実装形態では、システム400は、送信(TX)データプロセッサ404を有する基地局またはアクセスポイント402を含み、データソース(図示せず)から送信されるべきデータを受信することができる。ある例では、TXデータプロセッサ404は、符号化データを提供するためにそのデータストリームのために選択された特定の符号化スキームに基づいて、データストリームごとのトラフィックデータをフォーマット、符号化、および、インターリーブして、データストリームごとの符号化データは、OFDM技法を使用してパイロットデータで多重化され得る。パイロットデータは典型的に、知られている方法で処理され、チャネル応答を推定するために受信機システムで使用され得る、知られているデータパターンである。次いで、データストリームごとの多重パイロットおよび符号化データは、変調シンボルを提供するためにそのデータストリームのために選択された、特定の変調スキーム(たとえば、BPSK、QPSK、MPSK、またはM-QAM)に基づいて、変調器406において変調される(すなわち、シンボルマッピングされる)。たとえば、データストリームごとのデータレート、符号化、および変調は、プロセッサ416または同様のデバイス(たとえば、デジタル信号プロセッサまたは汎用プロセッサ)によって実行される命令によって決定され得る。
【００２９】
次いで、すべてのデータストリームの変調シンボルは、変調シンボルをさらに処理することができる(たとえば、OFDMのために)送信機/受信機408に提供される。次いで、送信機/受信機408は、アンテナ410を介して1つまたは複数のCPEに、またはアンテナ410および424を介してアクセス端末422に、変調シンボルストリームをワイヤレスに提供する。さらに、送信機/受信機408は、様々なCPE(たとえば、422)からアンテナ410を介して受信された信号を受信して処理する。UL上で様々なCPEから信号を受信した送信機/受信機408は、1つまたは複数のアナログ信号に、それぞれの受信された信号を提供するために、受信されたシンボルストリームを処理(たとえば、フィルタリング、増幅、およびダウンコンバート)し、サンプルを提供するために調整された信号をデジタル化し、そしてさらに処理(たとえば、チャネル推定、復調、デインターリーブ等)して、復調器412を通じるなどして、対応する「受信された(received)」シンボルストリームを提供するためにサンプルをデコードする。次いで、RXデータプロセッサ414がシンボルストリームを受信して、データストリームのトラフィックデータを回復するために、特定の受信機処理技法に基づいて、受信されたシンボルストリームを処理する。
【００３０】
プロセッサ416はまた、メモリ418、あるいはコンピュータ可読命令またはプロセッサ命令を記憶するように構成された同様の媒体に通信可能に結合され得る。さらに、基地局は、1つまたは複数のカウント値をインクリメントおよび記憶するための、当該分野で知られているカウンタ420または任意の同様のデバイスを含み得る。このカウントは、とりわけ、端末が動作する特定のシステムにおける基地局402からのDL送信、またはCPEからのUL送信にかかわらず、端末の送信時間の累積カウントを維持するために使用され得る。別個のユニット420として示されているが、それによって影響を受けるカウント機能は、メモリ418、プロセッサ416、または他の任意の適切なデバイスによって実装され得ることが企図される。
【００３１】
CPE422の送信機/受信機426は、1つまたは複数のアナログ信号を提供するために、基地局(たとえば、402)からのDL送信信号を受信して、1つまたは複数のアナログ信号を提供するために、受信されたシンボルストリームまたはフレームを処理して、UL上で基地局402への送信に適した変調信号を提供するために、アナログ信号をさらに調節(たとえば、増幅、フィルタリング、アップコンバート等)する。各CPE受信機426は、それぞれの受信信号を調整(たとえば、フィルタリング、増幅、およびダウンコンバート)し、サンプルを提供するために、調整された信号をデジタル化し、さらに処理提供するために、復調器428を通じるなどして、対応する「受信された」シンボルストリームを提供するために、サンプルをさらに処理(たとえば、チャネル推定、復調、デインターリーブ等)して復号する。次いで、RXデータプロセッサ430は、データストリームのトラフィックデータを回復するために、特定の受信機処理技法に基づいて、受信されたシンボルストリームを受信して処理する。次いで、データストリームごとの復号されたデータは、プロセッサ432、あるいは同様のデバイス(たとえば、デジタル信号プロセッサ(DSP))または汎用プロセッサによって利用され得る。
【００３２】
プロセッサ432はまた、メモリ440、あるいはコンピュータ可読命令またはプロセッサ命令を記憶するように構成された同様の媒体に通信可能に結合され得る。さらに、基地局は、1つまたは複数のカウント値をインクリメントおよび記憶するための、当該分野で知られているカウンタ442または任意の同様のデバイスを含み得る。このカウント値は、基地局(たとえば、402)におけるカウンタ420のカウントと同じであり、端末が動作する特定のシステムにおける基地局402からのDL送信、またはCPEからのUL送信にかかわらず、端末の送信時間の累積カウントを維持するために使用され得る。別個のユニット442として示されているが、それによって影響を受けるカウント機能は、メモリ418、プロセッサ416、または他の任意の適切なデバイスによって実装され得ることが企図される。
【００３３】
CPE422はまた、ULを介して送信されるべき符号化および変調されたシンボルまたはフレームを準備するためのTXデータプロセッサ436および変調器438を含む。符号化および変調されたシンボルは、アンテナ424を介して基地局402などの基地局に送信するために、送信機/受信機426に入力される。基地局402で、送信機/受信機システム426からの変調された信号は、CPE422によって送信されたDLメッセージを抽出するために、アンテナ410によって受信され、送信機/受信機408によって調整され、復調器412によって復調され、RXデータプロセッサ414によって処理される。次いで、プロセッサ416は、基地局においてさらに使用するために、抽出されたメッセージを処理することができる。
【００３４】
図5Aは、マクロセルとともにスモールセル510および512が展開される、例示的な混合通信ネットワーク環境500を示している。ここでは、マクロ基地局505は、マクロ領域530内の、図示されたユーザデバイス520、521、および522などの、1つまたは複数のユーザデバイスへの通信カバレッジを提供することができ、スモールセル510および512は、異なるカバレッジ領域間に様々な程度の重複がある、それぞれの領域515および517内の、それら自体の通信カバレッジを提供することができる。この例では、図示されたユーザデバイス522などの少なくともいくつかのユーザデバイスは、マクロ環境(たとえば、マクロ領域)と、より小規模のネットワーク環境(たとえば、住宅地、フェムトエリア、ピコエリア等)との両方で動作することが可能であり得る。
【００３５】
図示された接続では、ユーザデバイス520は、メッセージを生成して、ワイヤレスリンクを介してマクロ基地局505に送信することができ、メッセージは、様々なタイプの通信(たとえば、音声、データ、マルチメディアサービス等)に関連する情報を含む。ユーザデバイス522は、同様に、ワイヤレスリンクを介してスモールセル510と通信することができ、ユーザデバイス521は、同様に、ワイヤレスリンクを介してスモールセル512と通信することができる。マクロ基地局505はまた、ワイヤードリンクを介して、またはワイヤレスリンクを介して、対応するワイドエリアネットワークまたは外部ネットワーク540(たとえば、インターネット)と通信することができ、スモールセル510および512もまた、同様に、それら自体のワイヤードまたはワイヤレスリンクを介して、ネットワーク540と通信することができる。たとえば、スモールセル510および512は、デジタル加入者線(DSL、たとえば、非対称DSL(ADSL)、高速データレートDSL(HDSL)、超高速DSL(VDSL)等を含む)、IPトラフィックを搬送するTVケーブル、電力線を介するブロードバンド(BPL)接続、光ファイバ(OF)リンク、または他の何らかのリンクを介するなどして、インターネットプロトコル(IP)接続経由でネットワーク540と通信することができる。
【００３６】
ネットワーク540は、たとえば、インターネット、イントラネット、ローカルエリアネットワーク(LAN)、またはワイドエリアネットワーク(WAN)のネットワークを含む、任意のタイプの電子的に接続されたコンピュータおよび/またはデバイスのグループを備え得る。さらに、ネットワークへの接続性は、たとえば、リモートモデム、イーサネット（登録商標）(IEEE802.3)、トークンリング(IEEE802.5)、ファイバ分散データリンクインターフェース(FDDI)、非同期転送モード(ATM)、ワイヤレスイーサネット（登録商標）(IEEE802.11)、ブルートゥース(IEEE802.15.1)、または他の何らかの接続によるものであり得る。本明細書で使用される場合、ネットワーク540は、パブリックインターネット、インターネット内のプライベートネットワーク、インターネット内の安全なネットワーク、プライベートネットワーク、パブリックネットワーク、付加価値ネットワーク、イントラネットなどのネットワーク変化を含む。特定のシステムでは、ネットワーク540はまた、仮想プライベートネットワーク(VPN)を備え得る。
【００３７】
したがって、マクロ基地局505ならびに/あるいはスモールセル510および512のいずれかまたは両方は、多数のデバイスまたは方法のいずれかを使用してネットワーク540に接続され得ることが理解されよう。これらの接続は、ネットワークの「バックボーン(backbone)」または「バックホール(backhaul)」と呼ばれ得る。無線ネットワークコントローラ(RNC)、基地局コントローラ(BSC)、あるいは別のデバイスまたはシステム(図示せず)などのデバイスは、2つ以上のマクロ基地局、ピコ基地局、および/またはスモールセルの間の通信を管理するために使用され得る。このように、ユーザデバイス522の現在の位置に応じて、たとえば、ユーザデバイス522は、マクロ基地局505によって、またはスモールセル510によって、通信ネットワーク540にアクセスすることができる。
【００３８】
図5Bは、本開示の1つまたは複数の態様による、例示的なスモールセル550を示している。スモールセル550は、図5Aに示されるスモールセル510および/またはスモールセル512に対応し得る。スモールセル550は、ワイヤレスローカルエリアネットワーク(WLAN)エアインターフェース(たとえば、IEEE802.11xプロトコルに従って)、ならびにセルラーエアインターフェース(たとえば、LTEプロトコルに従って)を提供することが可能であり得る。図示されるように、この点で、スモールセル550は、フェムトセルサイトモデム(FSM)554と共同設置された802.11xアクセスポイント(AP)552を含むことができる。AP552およびFSM554は、それぞれ対応するネットワークリッスン(NL)モジュール556および558、または他の適切な構成要素を使用して、対応するチャネル品質(たとえば、受信された信号強度)を決定するために、1つまたは複数のチャネル(たとえば、対応するキャリア周波数上)の監視を実行することができる。別個のモジュールとして示されているが、NLモジュール556および558は、単一のNLモジュール上に常駐することができる。
【００３９】
スモールセル550はまた、関連データまたは命令を記憶するように構成された、1つまたは複数の汎用コントローラまたはプロセッサ、およびメモリを含み得る、ホスト560を含み得る。ホスト560は、通信のために使用される適切な無線技術、ならびにスモールセル550のための他の機能に応じた処理を実行することができる。
【００４０】
スモールセル550は、それぞれ局(STA)562およびUE564として示されるAP552およびFSM554を介して、1つまたは複数のワイヤレスデバイスと通信することができる。図5Bは単一のSTA 562と単一のUE 564とを示しているが、スモールセル550は複数のSTAおよび/またはUEと通信できることが理解されよう。さらに、図5Bは、AP552(すなわち、STA562)を介してスモールセル550と通信しているあるタイプのワイヤレスデバイスと、FSM554(すなわち、STA564)を介してスモールセル550と通信している別のタイプのワイヤレスデバイスとを示しているが、単一のワイヤレスデバイスは、AP552とFSM554との両方を介して、同時に、または異なる時間に、スモールセル550と通信することが可能であり得ることが理解されよう。
【００４１】
図6は、本開示の1つまたは複数の態様による、例示的なスモールセル601を示している。スモールセル601は、スモールセル510、512、および/または550のいずれかに対応し得る。図示されるように、スモールセル601は、1つまたは複数のユーザデバイス602と通信するために様々な動作を実行する、対応するTXデータプロセッサ610、シンボル変調器620、送信機ユニット(TMTR)630、アンテナ640、受信機ユニット(RCVR)650、シンボル復調器660、RXデータプロセッサ670、および構成情報プロセッサ680を含む。スモールセル601はまた、1つまたは複数の汎用コントローラまたはプロセッサ(コントローラ/プロセッサ682として単数形で示される)と、関連データまたは命令を記憶するように構成されたメモリ684とを含み得る。バス686を介して、これらのユニットは、ともに通信のために使用される適切な無線技術に従って処理を実行し得るだけではなく、スモールセル601のための他の機能を実行し得る。
【００４２】
スモールセル601は、ワイヤレスローカルエリアネットワークエアインターフェース(たとえば、IEEE802.11xプロトコルに従って)、ならびにセルラーエアインターフェース(たとえば、LTEプロトコルに従って)を提供することが可能であってよい。図示されるように、この点で、スモールセル601は、FSM694と共同設置された802.11x AP692を含む。AP692およびFSM694は、図5Bに示されるAP552およびFSM554にそれぞれ対応し得る。AP692およびFSM694は、それぞれネットワークリッスンモジュール(NLM)、または他の適切な構成要素(NLM690として単数で示される)を使用して、対応するチャネル品質(たとえば、受信された信号強度)を決定するために、1つまたは複数のチャネル(たとえば、対応するキャリア周波数上の)の監視を実行することができる。いくつかの設計では、これらの構成要素のうちの1つまたは複数の機能が、時にはメモリ684とともに、スモールセル601の汎用コントローラ/プロセッサ682に直接統合されてもよく、あるいはそれによって実行されてもよいことが理解されよう。
【００４３】
スモールセル601は、AP692および/またはFSM694を介してユーザデバイス602と通信することができる。単一のユーザデバイス602は、AP692とFSM694との両方を介して、同時に、または異なる時間に、スモールセル601と通信することが可能であり得ることが理解されよう。本開示では、ユーザデバイス602が、WLAN固有の測定値を作成および/または提供する、あるいはWLAN固有の機能を実行すると見なされる場合、そのユーザデバイス602は、AP692に接続されていると理解される。同様に、ユーザデバイス602が、セルラーネットワーク固有の測定値を作成および/または提供する、あるいはセルラーネットワーク固有の機能を実行すると見なされる場合、そのユーザデバイス602は、FSM694に接続されていると理解される。
【００４４】
一般的に、AP692は、工業、科学、および医療(ISM)無線帯域などのワイヤレススペクトルのライセンスされていない部分を介して、そのエアインターフェースを提供することができる(たとえば、IEEE802.11xプロトコルに従って)のに対し、FSM694は、セルラー通信のために予約されたワイヤレス帯域のライセンスされた部分を介して、そのエアインターフェースを提供することができる(たとえば、LTEプロトコルに従って)。しかしながら、FSM694はまた、ワイヤレススペクトルのライセンスされていない部分を介してセルラー(たとえば、LTE)カバレッジを提供するように構成され得る。このタイプのライセンスされていないセルラー動作は、ワイヤレススペクトルのライセンスされた部分(たとえば、LTE補足ダウンリンク(SDL))、およびワイヤレススペクトルのライセンスされていない部分(たとえば、ライセンスされていないスペクトルにわたるLTE)において動作するアンカーライセンスされたキャリアの使用を含んでもよく、アンカーライセンスされたキャリアの使用なしに動作するスタンドアロン構成(たとえば、LTEスタンドアロン)でもよい。
【００４５】
本開示の一態様によれば、図7Aは、ライセンスされていない帯域を介して通信する複数の事業者を含み得る、共有スペクトルおよび/または混合通信ネットワーク環境においてダウンリンク上で使用され得る例示的な送信構造700を示している。図7Aに示されるように、送信タイムラインは、一般的に無線フレームのユニットに分割され得る。各無線フレームは、あらかじめ定められた時間(たとえば、10ミリ秒)を有することができ、10個のサブフレームに分割され得る。各サブフレームは2つのスロットを含むことができ、各スロットは、定数の、または設定可能な数のシンボル期間(たとえば、6または7のシンボル期間)を含み得る。
【００４６】
システム帯域幅は、直交周波数分割多重(OFDM)を用いて複数(K)のサブキャリアに分割され得る。利用可能な時間周波数リソースはリソースブロックに分割され得る。各リソースブロックは、1つのスロット中にQ個のサブキャリアを含み得、ただし、Qは12または何らかの他の値に等しくなり得る。利用可能なリソースブロックは、データ、オーバーヘッド情報、パイロットなどを送るために使用され得る。
【００４７】
システムは、複数のUEのための進化したマルチメディアブロードキャスト/マルチキャストサービス(eMBMS)だけでなく、個々のUEのためのユニキャストサービスをサポートすることができる。eMBMSのためのサービスはeMBMSサービスまたはフローと呼ばれてよく、ブロードキャストサービス/フロー、またはマルチキャストサービス/フローであり得る。
【００４８】
LTEにおいて、データおよびオーバーヘッド情報が、無線リンク制御(RLC)層で論理チャネルとして処理される。論理チャネルは、媒体アクセス制御(MAC)層でチャネルをトランスポートするためにマッピングされる。トランスポートチャネルは、物理(PHY)レイヤにおいて物理チャネルにマッピングされる。Table 1(表1)に、LTEにおいて使用される、(「L」として示された)いくつかの論理チャネルと、(「T」として示された)トランスポートチャネルと、(「P」として示された)物理チャネルとを記載し、各チャネルについて短い説明を与える。
【００４９】
【表１】
2016534655.tif 000003
【００５０】
表1に示されるように、異なるタイプのオーバーヘッド情報は、異なるチャネル上で送信され得る。Table 2(表2)は、いくつかのタイプのオーバーヘッド情報を記載し、各タイプについて短い説明を与える。Table 2(表2)はまた、各タイプのオーバーヘッド情報が1つの設計に応じて送信され得るチャネルを与える。
【００５１】
【表２】
2016534655.tif 000004
【００５２】
異なるタイプのオーバーヘッド情報は、他の名称で呼ばれてもよい。スケジューリングおよび制御情報は動的であり得るが、システムおよび構成情報は半静的であり得る。
【００５３】
システムは、マルチセルモードとシングルセルモードとを含み得る、eMBMSのための複数の動作モードをサポートし得る。マルチセルモードは以下の特性を有し得る。
・ブロードキャストまたはマルチキャストサービスのためのコンテンツは、複数のセルにわたって同期して送信され得る。
・ブロードキャストおよびマルチキャストサービスのための無線リソースが、NodeBの上方に論理的に配置され得るMBMSコーディネーティングエンティティ(MCE)によって割り当てられる。
・ブロードキャストおよびマルチキャストサービスのためのコンテンツがNodeBでMCHにマッピングされる。
ブロードキャストサービスとマルチキャストサービスとユニキャストサービスとのためのデータの(たとえば、サブフレームレベルにおける)時分割多重化。
【００５４】
シングルセルモードは、以下の特性を有することができる:
・各セルは、他のセルと同期せずに、ブロードキャストおよびマルチキャストサービスのためのコンテンツを送信する。
・ブロードキャストおよびマルチキャストサービスのための無線リソースが、NodeBによって割り当てられる。
・ブロードキャストおよびマルチキャストサービスのためのコンテンツが、DL-SCHにマッピングされる。
・ブロードキャスト、マルチキャスト、およびユニキャストサービスのためのデータが、DL-SCHの構造によって許容される任意の方法で多重化され得る。
【００５５】
概して、eMBMSサービスは、マルチセルモード、シングルセルモード、および/または他のモードでサポートされ得る。マルチセルモードは、受信性能を改善するために、複数のセルから受信された信号をUEが合成することを可能にし得る、eMBMSマルチキャスト/ブロードキャスト単一周波数ネットワーク(MBSFN)送信のために使用され得る。
【００５６】
本開示の一態様によれば、図7Bは、共有された、またはライセンスされていないスペクトル環境においてブロードキャストされ得る例示的なシグナリングメッセージを示している。たとえば、図7Bに示されるように、システム情報は、無線リソース制御(RRC)によって提供されて、マスタ情報ブロック(MIB)およびシステム情報ブロック(SIB)で構成され得る。MIB720は、eNB 710によって、固定位置のタイムスロットにおいてブロードキャストされて、DL-SCH(たとえば、DL帯域幅およびシステムフレーム番号)上でスケジューリングされたSIBタイプ1(SIB1)メッセージ722を配置する際にUE720を補助するためのパラメータを含む。SIB1メッセージ722は、他のシステム情報のスケジューリングに関連する情報と、セルへのアクセスについての情報とを含む。他のSIBは、システム情報メッセージ内で多重化される。SIBタイプ2(SIB2)メッセージ724は、すべてのUE720に共通のリソース構成情報と、アクセス制限についての情報とを含む。eNB710が、SIB2メッセージ724内のアクセスクラス制限パラメータをブロードキャストすることによってユーザアクセスを制御して、UE720が、そのユニバーサル加入者識別モジュール(USIM)内のアクセスクラスに応じて動作を実行する。
【００５７】
1から10までのアクセスクラスのメンバーであるすべてのUE720は、アクセスクラス0〜9と定義されたモバイル電話人口をランダムに割り当てられる。人口数はSIM/USIMに記憶される。さらに、UE720は、やはりSIM/USIM内に保持される5つの特殊カテゴリ(アクセスクラス11〜15)のうちの1つまたは複数のメンバーであり得る。標準は、これらのアクセスクラスを以下のように定義する(3GPP TS22.011、セクション4.2):
・クラス15-パブリック陸上モバイルネットワーク(PLMN)スタッフ、
・クラス14-救急サービス、
・クラス13-公益事業(たとえば、水/ガス供給業者)、
・クラス12-セキュリティサービス、および、
・クラス11- PLMNの使用のため。
【００５８】
SIB2メッセージは、アクセス制御について次のパラメータを含む:
・アクセスクラス0〜9を有する通常のユーザの場合、アクセスは、SIB2メッセージ内のac-BarringFactorおよびac-BarringTimeパラメータによって制御される。
・緊急通話(AC10)を開始するユーザの場合、アクセスは、アクセス制限が強制されているか強制されていないかを示す、ac-BarringForEmergencyパラメータによって制御される。
・AC11から15を有するUE720の場合、アクセスは、アクセス制限が強制されているか強制されていないかを示す、ac-BarringForSpecialACパラメータによって制御される。
【００５９】
UE720は、UE720が、エアインターフェースを介してシグナリングされる、許可されたクラスに対応する少なくとも1つのアクセスクラスのメンバーである場合、アクセス手順を実行することが可能になる。UE720は、UE720がアクセスするための「永続的な(persistent)」テストに合格するための乱数を生成する。アクセスするために、UE720乱数発生器からの結果は、ac-BarringFactor内で設定されたしきい値よりも低い必要がある。ac-BarringFactorをより低い値に設定することによって、通常のユーザからのアクセスが制限される。アクセスクラス11〜15を有するユーザは、制限なしにアクセスすることができる。
【００６０】
本開示の一態様によれば、図8は、ライセンスされていない帯域においてセルラー(たとえば、LTE)カバレッジを提供するアンロードされたスモールセルからの干渉を減少させるための例示的な方法800を示している。たとえば、再び図6を参照すると、同じチャネル上で動作している他のWi-Fi APとの干渉を減少させるために、スモールセル601がセルラーカバレッジを提供するために(たとえば、1つまたは複数のライセンスされていないキャリア上に)使用する構成を適合させることが有利であり得る。たとえば、スモールセル601がアンロードされている(たとえば、バッファされたトラフィックがない、しきい値を下回るバッファされたトラフィックがある、等)場合、容量がライセンスされたキャリア容量によってではなく、バックホールによって制限される場合、または、他の適切な状況が存在する場合、1つまたは複数のライセンスされていないキャリアを動作するためにスモールセル601が使用する構成が適合され得る。たとえば、バックホール帯域幅が、バックホールを共有する他のデバイス(たとえば、テレビ、ゲーム機など)のために制限され得る共有されたバックホールの場合、ライセンスされたキャリアは、バックホール帯域幅の可用性に対応するオーバージエアトラフィックを上手に処理することができる。したがって、スモールセル601に関連付けられるライセンスされていないキャリア構成を適合させることは、他の利点のうち、パイロット汚染を減少させて、ネットワーク容量およびカバレッジを改善するために役立つことができる。逆に、ライセンスされたキャリアによって一定の容量の要件が適切に処理されていない場合(たとえば、バッファサイズ、ユーザの数等に基づいて)、特定の状況では、スモールセル601に関連付けられる構成を適合させることが有利であり得る。したがって、図8に示される方法800は、一般的に、Wi-Fi干渉を減少させて、カバレッジ、容量、およびライセンスされていない帯域においてセルラーカバレッジを提供する、アンロードされたスモールセル(たとえば、スモールセル601)からの干渉影響をトレードオフするために、様々な技法を提供することができる。
【００６１】
より具体的には、方法800は、ブロック810で、アンロードされたスモールセル(たとえば、バッファされたトラフィックを有していない、またはしきい値を下回るトラフィックを有するスモールセル)が、1つまたは複数のWi-Fi信号を検出して、ブロック820で、アンロードされたスモールセルが送信および/または受信するセルラー信号が、Wi-Fi信号との潜在的な干渉を引き起こす可能性があると決定するときに開始され得る。このように、アンロードされたスモールセルは、その後、ブロック810で検出されたWi-Fi信号との潜在的な干渉を減少または軽減させるために、ブロック830で、1つまたは複数の干渉減少技法を適用することができる。あるいは、アンロードされたスモールセルは、Wi-Fi信号を検出せずに、ブロック830で、1つまたは複数の干渉減少技法を自律的に適用することができる(たとえば、パイロット汚染を防止して、消費電力および/またはリソースの可用性を向上させて、検出されないにもかかわらず、アンロードされたスモールセルの周囲に潜在的に存在し得るWi-Fi信号との干渉を減少させて、または、信号品質、性能を向上させるために、等)。いずれの場合でも、本明細書でさらに詳細に説明するように、ブロック830で適用される干渉減少技法は、アンロードされたスモールセルを低ダウンリンク構成に切り替えるステップと、アンロードされたスモールセルを低帯域幅構成に切り替えるステップと、アンロードされたスモールセルと1つまたは複数の追加のスモールセルと同じ周波数および/またはチャネル番号に移動させるステップと、スモールセルに関連付けられる送信電力を適合させるステップと、ならびに/あるいは、それらの任意の適切な組合せとの中から選択されて得る。さらに、当業者は、ブロック830で適用される干渉減少技法は、上述した干渉減少技法のうちの1つ、または任意の適切な組合せで適用され得る上述の干渉減少技法のうちの複数を含み得ることを理解するであろう。さらに、当業者は、ブロック830で適用される干渉減少技法が複数の干渉減少技法を含む場合、複数の干渉減少技法は、任意の特定のシーケンスまたは順序で適用される必要はない(たとえば、複数の干渉減少技法は、同時に、連続的に、またはそれらの任意の適切な組合せで適用され得る)ことを理解するであろう。
【００６２】
一例では、ブロック830で適用される干渉減少技法が、アンロードされたスモールセルを低ダウンリンク構成に切り替えるステップを含む場合、低ダウンリンク構成は、一般的に、図7Bに関して上述したシステム情報ブロック(SIB)を使用してシグナリングを通じて実行され得る、時分割多重(TDD)Config0と、特殊サブフレーム(SSF)Config5ダウンリンク構成とを備え得る。たとえば、以下に示されるTable 3(表3)は、一般的に、利用可能であり得る異なるTDD構成モード、利用可能なTDD構成モードごとの切替えポイント周期、およびアップリンク送信(「U」)、ダウンリンク送信(「D」)、または特殊信号(「S」)のための所与のTDD構成についての各サブフレームにおける割当てをまとめたものである。
【００６３】
【表３】
2016534655.tif 000005
【００６４】
無線フレーム内では、LTE TDDは、ダウンリンク送信とアップリンク送信との間、およびその逆を複数回切り替え、その間、隣接するサブフレームとの競合を防ぐために、スモールセルと様々なUEとの間の異なる信号通過時間が考慮されなければならない。タイミングアドバンス処理は、アップリンクからダウンリンクに切り替えるときに競合を防ぐことができ、それによって、スモールセルは、すべての信号が同期された方法でスモールセルに到達することを確実にすることを助けるために、UEがいつ送信を開始するべきかについて、すべてのUEに通知することができる。ダウンリンクからアップリンクに切り替えるとき、ダウンリンクパイロットタイムスロット(DwPTS)と、アップリンクパイロットタイムスロット(UpPTS)フィールドとの間にガード期間(GP)が挿入され得る。GPは、スモールセルとUEとの間の信号伝搬時間に依存する期間、および受信から送信に切り替えるためにUEが必要とする時間を有し得る。このように、各特殊サブフレーム(「S」)は、DwPTSフィールド、UpPTSフィールド、およびGPのフィールドを有することができ、LTE TDDのために利用可能な異なるSSF構成は以下のTable 4(表4)に要約される。
【００６５】
【表４】
2016534655.tif 000006
【００６６】
したがって、ブロック830で、アンロードされたスモールセルは、TDD Config0(DSUUUDSUUU)およびSSF Config5(3つのダウンリンクシンボル)に対応する、低ダウンリンク構成に切り替えられ得る。さらに、低ダウンリンクTDD構成への切替えは、異なるTDD構成を送信している異なるスモールセルおよび/または他のeNBのために集中的な干渉をもたらす場合があるので、レート制御ループは、低ダウンリンクTDD構成への切替えに起因し得る集中的な干渉に適合するために、適切に修正され得る。たとえば、UEからデュアルチャネル品質インジケータ(CQI)レポートがある場合があり、それは、ダウンリンクサブフレームの間の干渉を示すためのサブフレームの0/5についての第1のCQIレポートと、アップリンクサブフレーム間の干渉を示すための残りのサブフレームについての第2のCQIレポートとを含み得る。あるいは、UEはCQIフィードバックを交互にすることができ、UEは、第1の間隔におけるサブフレーム0/5のダウンリンク干渉を表すためにCQIレポートを提供して、次いで第2の間隔における残りのサブフレームへのアップリンク干渉を表すためにCQIレポートを提供することができ、次いで、第3と第4の間隔等において、サブフレーム0/5へのダウンリンク干渉と、残りのサブフレームへのアップリンク干渉を表すためにCQIレポートを提供することができ、以下同様である。さらに、LTEでは、チャネル推定およびCQIフィルタリングはダウンリンク構成を考慮することができる。たとえば、サブフレーム0/5への干渉推定は、サブフレーム0/5がサブフレーム1/4/9に行われた干渉推定に影響を与えないように、別途平均化され得る。さらに、当業者は、TDD Config0とSSF Config5ダウンリンク構成とは、アンロードされたスモールセルが切り替えられ得る1つの例示的な低ダウンリンク構成を単に表しており、またアンロードされたスモールセルは、他の適切な低ダウンリンク構成に適切に切り替えられ得ることを理解するであろう。
【００６７】
別の例では、ブロック830で適用された干渉減少技法が、アンロードされたスモールセルを低帯域幅構成(たとえば、1.25MHz帯域幅構成)に切り替えるステップを含む場合、それは一般的に、図7Bに関して上述したマスタ情報ブロック(MIB)を使用してシグナリングするステップを通じて実行され得る。この点において、周波数内および周波数間測定は、6つの送信リソースブロック(RB)を介して実行され得る。さらに、アンロードされたスモールセルがブロック830で低帯域幅構成に切り替えられ得るかどうかは、アンロードされたスモールセルに関連付けられる特定の実装形態(たとえば、スモールセルはどのくらいの頻度で、性能に影響を与えずに帯域幅を切り替えることができるか)に依存し得る。またさらに、当業者は、1.25MHzの帯域幅構成は、アンロードされたスモールセルが切り替えられ得る1つの例示的な低帯域幅構成を単に表しており、またアンロードされたスモールセルは、他の適切な低帯域幅構成に適切に切り替えられ得ることを理解するであろう。
【００６８】
別の例では、ブロック810で受信されたWi-Fi信号を潜在的に干渉する可能性がある複数のアンロードされたスモールセルがある場合、ブロック830で適用された干渉減少技法は、複数のアンロードされたスモールセルのすべてを、同じ周波数および/またはチャネル番号に移動させるステップを含み得る。
【００６９】
別の例では、ブロック830で適用された干渉減少技法が、スモールセルに関連付けられる送信電力を適合させるステップを含む場合、ブロック830は、ネットワークカバレッジ、容量、および干渉影響間のトレードオフのバランスを取るために、スモールセルに関連付けられる送信電力を適合させるステップを含み得る。具体的には、スモールセルに関連付けられる送信電力は、ネットワークリスニングおよび/またはUE支援の測定値に基づいてネットワークトポロジに動的に適合させることができる電力管理フレームワークを使用して、ネットワーク容量を最適化して、パイロット汚染を最小化するように適合され得る。より具体的には、電力管理フレームワークは、ライセンスされていない帯域においてセルラーカバレッジを提供するスモールセルに関連付けられる送信電力を適合させるために、Wi-Fi測定値と組み合わせてセルラー測定値を使用することができるのに対し、ライセンスされている帯域において実行される送信電力管理は、一般的にセルラー測定値だけに依存する。たとえば、スモールセルが、第1のしきい値(たとえば、それを上回ると、スモールセルがWi-Fi信号との干渉を引き起こす可能性があるしきい値)を超えるWi-Fi信号を測定すると、スモールセルは、他のセルラー測定値(たとえば、スモールセルで受信および測定された、UEから報告された、等のセルラー信号に関連付けられる電力を示す、受信された信号コード電力(RSCP)測定値)に従って、それに関連付けられる送信電力を適切に減少させることができる。この例では、スモールセルは、測定されたセルラー信号に関連付けられる合計RSCPがRSCPしきい値を超えることを示す他のセルラー測定値に応答して、第1のしきい値を超えると決定されたWi-Fi信号との干渉を減少させるために、それに関連付けられる送信電力を積極的に減少させることができる。さらに、カバレッジ、容量、および干渉影響間のトレードオフのバランスを取るために、RSCPしきい値はWi-Fi測定値に基づいて適切に適合され得る。たとえば、RSCPしきい値は、Wi-Fi測定値が第2のしきい値を超えると決定するステップに応答して減少されてよく、それによって、より強いWi-Fi信号が測定されるとスモールセルに関連付けられる送信電力がより積極的に減少され得る。それに関連して、RSCPしきい値は、Wi-Fi測定値が第2のしきい値および/または第1のしきい値を下回ると決定するステップに応答して増加されてよく、それによって、弱いWi-Fi信号が測定されると、スモールセルに関連付けられる送信電力があまり積極的ではなく減少され得る。
【００７０】
本開示の一態様によれば、図9は、ライセンスされていない帯域においてセルラー(たとえば、LTE)カバレッジを提供するアンロードされたスモールセルからの干渉を減少させるための別の例示的な方法900を示している。より具体的には、通常の動作の間、スモールセルは、制御、継続、同期、参照、または他の適切な目的のために一般的に必要な、すべての適切なパイロット信号(たとえば、共通参照信号、オーバーヘッド信号等)を送信することができ、さらに、スモールセルは、一般的に当業者には明らかである移動性または他の理由で、ライセンスされている帯域内で動作する際に、すべてのパイロット信号を継続的に送信する必要がある場合がある。しかしながら、比較的小さいカバレッジエリアにわたってセルラーカバレッジを提供するために、スモールセルがライセンスされていない帯域において動作する場合、スモールセルは常にパイロット信号を送信する必要がない場合があり、パイロット汚染を回避して、スモールセルに関連付けられるカバレッジエリア内、またはその近隣で動作している場合があるWi-Fiデバイスとの潜在的な干渉を軽減するために、常にパイロット信号を送信しなくてもよいことが好ましい場合がある。
【００７１】
このように、一実装形態では、ライセンスされていない帯域においてセルラーカバレッジを提供するスモールセルは、ブロック910で、それに関連付けられる負荷を決定することができ、次いで、ブロック920で、スモールセルが、それに関連付けられる構成が、パイロット汚染を減少させて、スモールセルに関連付けられるカバレッジエリア内、またはその近隣で動作している可能性があるWi-Fiデバイスとの潜在的な干渉を軽減することができる方法で切り替えられることを可能にするために、十分にアンロードされている(たとえば、トラフィックを有していない、またはしきい値を下回るトラフィックを有している)かどうかを決定することができる。たとえば、ブロック920で、スモールセルが、進行中のトラフィックまたは一定のしきい値レベルを超える進行中のトラフィックを有するという最初の決定に応答して、スモールセルは、減少された干渉構成に切り替えずに、通常の方法で動作を継続して、スモールセルが減少された干渉モードへの切替えをトリガするために十分にアンロードされた状態を有するかどうかを決定するために、ブロック910および920でそれに関連付けられる負荷の監視を継続することができる。したがって、スモールセルが十分にアンロードされると、スモールセルは、ブロック930で、パイロット汚染を減少させて、スモールセルに関連付けられるカバレッジエリア内、またはその近隣で動作している可能性があるWi-Fiデバイスとの潜在的な干渉を軽減するように設計され得る1つまたは複数の干渉減少技法を選択することができる。
【００７２】
具体的には、図8を参照して上述したように、ブロック930で選択された干渉減少技法は、低ダウンリンク構成に切り替えるステップ、低帯域幅構成に切り替えるステップ、他の任意のアンロードされたスモールセルと同じ周波数および/またはチャネル番号に切り替えるステップ、送信電力を減少させるステップ、ならびに/あるいはそれらの任意の適切な組合せを含み得る。
【００７３】
一実装形態では、干渉減少技法は時間ドメインにおいて提供されてよく、低ダウンリンク構成に切り替えるステップは、スモールセルが、各フレームが1つまたは複数のアップリンクサブフレームと、1つまたは複数のダウンリンクサブフレームとを含み得る時分割多重(TDD)に従って動作すると仮定することができる。このように、低ダウンリンク構成は、一般的に、より少数のダウンリンクサブフレームと、より多数のアップリンクサブフレームとを有することができ、スモールセルがアンロードされると決定され、したがって実質的なトラフィックを有していないので、サービスの実質的な低下を生じさせない場合がある。たとえば、一実装形態では、低ダウンリンク構成は、1つのダウンリンクサブフレームと、アップリンクシンボルとダウンリンクシンボルとの間で分割された1つの特殊なサブフレーム(SSF)とを有するTDD Config0を備えてよく、残りのサブフレームはすべてアップリンクサブフレームである。さらに、一般的にダウンリンクとアップリンクとの間で遷移する特殊なサブフレームにおいて、最初のいくつかのシンボルはダウンリンクであり、次いで、ギャップがアップリンクとダウンリンクとの間の切替えを可能にし、次のいくつかのシンボルはアップリンクであり、特別なサブフレームも構成可能である。このように、低ダウンリンク構成は、いくつかのダウンリンクシンボルを有するSSF構成(たとえば、3つのダウンリンクシンボルを有するSSF Config5)をさらに含み得る。
【００７４】
一実装形態では、周波数ドメインにおいて干渉減少技法がさらに提供されてよく、スモールセルは、低帯域幅構成に切り替える、ならびに/あるいは他の任意のアンロードされたスモールセルと同じ周波数および/またはチャネル番号に切り替えることができる。前者の場合、低帯域幅構成は、一般的に、スモールセルが提供するセルラーカバレッジをサポートする可能な最も低い帯域幅を備え得る。たとえば、ライセンスされていない帯域においてセルラーカバレッジを提供するスモールセルは、一般的に20MHzで展開されてよく、トラフィックが低い場合は1.25MHzに減少されてよく、それによって、スモールセルに関連付けられるカバレッジエリア内、またはその近隣で動作している可能性がある任意のWi-Fiデバイスとの潜在的な干渉を約13dB(すなわち、20MHz/1.25MHz)だけ減少させる。後者の場合、アンロードされたスモールセルは、アンロードされたときにすべてのスモールセルが切り替える特定の合意したチャネルおよび/または周波数に切り替えることができ、それによって、すべての干渉は、同じチャネル番号および/または周波数に集中して、他のすべてのチャネルおよび/または周波数はWi-Fi動作への干渉から解放され得る。
【００７５】
一実装形態では、電力ドメインにおいて干渉減少技法がさらに提供されてよく、スモールセルは、Wi-Fiアクセスポイント、またはスモールセルに関連付けられるカバレッジエリア内、またはその近隣で動作している可能性がある他のWi-Fiデバイスからの入力に加えて、他のスモールセルからの測定値を考慮することができる。より具体的には、図8に関連して上記でさらに詳細に説明されたように、アンロードされたスモールセルは、ネットワークカバレッジ、容量、および干渉影響間のトレードオフのバランスを取って、Wi-Fi測定値と組み合わせてセルラー測定値に基づいてネットワーク容量を最適化してパイロット汚染を最小化するために適合された電力バックオフを計算するために、それに関連付けられる送信電力を動的に適合させることができるのに対し、ライセンスされている帯域において送信電力を管理するステップは、一般的にセルラー測定値だけに依存する。たとえば、アンロードされたスモールセルが、第1のしきい値を超えるWi-Fi信号を測定すると、スモールセルは、スモールセルで受信および測定された、および/またはRSCPしきい値を超える合計の受信された信号コード電力(RSCP)を有するスモールセルに報告されたセルラー信号に応答して、それに関連付けられる送信電力を適切に減少させることができる。さらに、RSCPしきい値は、Wi-Fi測定値が第2のしきい値を超える場合に減少されてよく、それによって、より強いWi-Fi信号が測定されるとスモールセルに関連付けられる送信電力がより積極的に減少されてよく、あるいは、RSCPしきい値は、Wi-Fi測定値が第2のしきい値および/または第1のしきい値を下回る場合、代替で増加されてよく、それによって、弱いWi-Fi信号が測定されると、スモールセルに関連付けられる送信電力があまり積極的ではなく減少され得る。
【００７６】
いずれの場合でも、アンロードされたスモールセルは、一般的に、ブロック930で、時間ドメイン、周波数ドメイン、電力ドメイン、および/またはそれらの任意の適切な組合せにおいて上述の干渉減少技法のうちの1つまたは複数を選択することができ、次いで、ブロック940は、複数の干渉減少技法が選択されたかどうかを決定するステップを含み得る。具体的には、1つだけの干渉減少技法が選択されると、スモールセルは、ブロック960で、選択された干渉減少技法を単に適用することができる。しかしながら、複数の干渉減少技法が選択されたと決定するステップに応答して、スモールセルは、ブロック950で選択された干渉減少技法に適用するべき階層または順序を決定することができる。一実装形態では、階層は一般的に、スモールセルを他のアンロードされたスモールセルと同じチャネルおよび/または周波数に切り替える第1のステップと(たとえば、1つのチャネルおよび/または周波数を除くすべての干渉を排除するために)、低帯域幅構成に切り替える第2のステップと(たとえば、帯域幅構成を切り替えるステップは再起動を必要とする場合があり、また、帯域幅構成における切替えを表すためのシグナリングは、一般的にマスタ情報ブロック(MIB)で発生し、一般的にシステム情報ブロック(SIB)で発生するTDDダウンリンク構成における切替え表すためのシグナリングよりも高いシグナリングレベルである場合があるので)を含み得る。一実装形態では、階層は、次いでオンザフライで(たとえば、1秒未満で)生じ得る、TDDダウンリンク構成を切り替えるステップを含むことができ、最後に電力ドメインにおいて電力バックオフを起動するかどうかについて決定するために、セルラーおよびWi-Fi測定を行うステップを含むことができる。このように、ブロック960で、スモールセルは、次いでブロック950で決定された階層または順序に従って選択された複数の干渉減少技法を適用することができる。
【００７７】
たとえば、一実装形態では、ブロック930で選択された干渉減少技法が、周波数ドメイン内の他の任意のアンロードされたスモールセルと同じ周波数および/またはチャネル番号に切り替えるステップを含む場合、ブロック960は、アンロードされた状態を有する場合、すべてのスモールセルが切り替わるべき合意したチャネルおよび/または周波数に切り替えるステップを含むことができ、またアンロードされた状態に接続され得る任意のUE(たとえば、現在のトラフィック要件をほとんどまたはまったく有していないアイドル状態のUE)に、アンロードされた状態を有するためにスモールセルが切り替えた合意したチャネルおよび/または周波数に同様に切り替えるように任意で命令するステップを含むことができる。さらに、選択された干渉減少技法が、低帯域幅構成に切り替えるステップを含む場合、ブロック960は、任意の接続されたUEが、アンロードされたスモールセルに関連付けられる帯域幅構成は変更されたことを知り、それによって新しい帯域幅構成に基づいて適切な調整を行うことができるように、1つまたは複数のMIB内で適切なシグナリングメッセージを送信している低帯域幅構成への切替えを呼び出す(必要に応じて)ために、アンロードされたスモールセルを再起動するステップを含み得る。
【００７８】
あるいは(または、追加で)、選択された干渉減少技法が低ダウンリンク構成に切り替えるステップを含む場合、ブロック960は、スモールセルに関連付けられる現在のトラフィックまたは負荷に基づいて適合され得る、それぞれ比較的少数のダウンリンクサブフレームとダウンリンクシンボルとを有する、適切なTDD構成とSSF構成とを決定するステップを含み得る。たとえば、一般的に、TDD Config0およびSSF Config5は、最小ダウンリンクアクティビティを提供することができ、したがって、干渉における最大の実質的な減少を提供することができ、それによって、スモールセルが送信するべきダウンリンクトラフィックを現在有していない場合、TDD Config0およびSSF Config5が選択され得る。あるいは、スモールセルが、送信するべきいくつかの(しかし非常にわずかな)ダウンリンクトラフィックを有している場合、スモールセルは、次に最小のダウンリンクサブフレーム(すなわち、TDD Config0が2つのダウンリンクサブフレームを有するのに対し、3つのダウンリンクサブフレーム)を有するTDD Config6に切り替えることができる。したがって、当業者は、低ダウンリンク構成は一般的に、通常の動作に対するダウンリンク送信を、現在のダウンリンクトラフィック要件に適合され得る方法で減少させることができることを理解するであろう。さらに、低ダウンリンク構成への切替えに適用するために、任意の接続されたUEが、アンロードされたスモールセルに関連付けられる新しいTDDおよび/またはSSF構成を知って、それによって、スモールセルに関連付けられるダウンリンク構成と同期した状態を保つために適切な調整を行うことができるように、ブロック960は、1つまたは複数のSIB内で適切なシグナリングメッセージを送信するステップをさらに含み得る。さらに、一実装形態では、ブロック960で低ダウンリンク構成への切替えを適用するステップは、任意の接続されたUEが、アンロードされたスモールセルに関連付けられる新しいTDDおよび/またはSSF構成を知って、それによって、スモールセルに関連付けられるダウンリンク構成と同期した状態を保つために適切な調整を行うことができるように、1つまたは複数のSIB内で適切なシグナリングメッセージをスケジューリングするステップをさらに含み得る。さらに、一実装形態では、ブロック960で低ダウンリンク構成への切替えを適用するステップは、任意の接続されたUEからのチャネル品質インジケータ(CQI)レポートをスケジューリングするステップをさらに含むことができ、スモールセルは、第1のCQIレポートが、ダウンリンクサブフレーム(たとえば、TDD Config0におけるサブフレーム0および5)間の干渉を反映するフィードバックを提供して、第2のCQIレポートが、アップリンクおよび特殊サブフレーム間の干渉を反映するフィードバックを提供することができるように、各フィードバック期間内でデュアルCQIレポートをスケジューリングしてもよく、スモールセルは、代替で、第1のフィードバック期間において提供されたCQIレポートがダウンリンクサブフレームの間の干渉を反映して、第2のフィードバック期間において提供されたCQIレポートがアップリンクおよび特殊サブフレームの間の干渉を反映して、第3のフィードバック期間において提供されたCQIレポートがダウンリンクサブフレームの間の干渉��反映するなどのように、代替のCQIレポートをスケジューリングしてもよい。
【００７９】
さらに、選択された干渉減少技法が、電力ドメインにおいてアンロードされたスモールセルに関連付けられる送信電力を適合させるステップを含む場合、ブロック960は、適切な電力バックオフを計算するために、セルラー測定値とWi-Fi測定値とを取得するステップを含み得る。より具体的には、上述のように、電力バックオフは、ネットワークリスニングおよび/またはUE支援の測定値に基づいて、ネットワーク容量を最適化して、パイロット汚染を最小化して、スモールセルに関連付けられるカバレッジエリア内、またはその近隣で動作している可能性があるWi-Fiデバイスとの潜在的な干渉を軽減するために、計算され得る。たとえば、一実装形態では、アンロードされたスモールセルで受信された任意のWi-Fi信号は、測定されて第1のしきい値と比較されてよく、スモールセルは、Wi-Fi測定値が第1のしきい値を超える場合、そこからの送信はWi-Fi信号と干渉し得ることを決定することができる。その場合、アンロードされたスモールセルは、RSCPしきい値を超える合計RSCPを有する測定されたセルラー信号に応答して、潜在的な干渉を減少させるために適切な電力バックオフを計算することができ、それはWi-Fi測定値に基づいてさらに適合され得る。たとえば、RSCPしきい値は、Wi-Fi測定値が第2のしきい値を超える場合に減少されてよく、それによって、より強いWi-Fi信号が測定されるとスモールセルに関連付けられる送信電力がより積極的に減少されてよく、あるいは、RSCPしきい値は、Wi-Fi測定値が第2のしきい値および/または第1のしきい値を下回る場合、代替で増加されてよく、それによって、弱いWi-Fi信号が測定されると、スモールセルに関連付けられる送信電力があまり積極的ではなく減少され得る。このように、ブロック960で送信電力を適合させるステップは、一般的に、スモールセルで測定され得る、スモールセルに報告され得る、またはそれらの任意の適切な組合せの、セルラー信号とWi-Fi信号とに関連付けられる測定値に従って、適切な電力バックオフを計算するステップを備え得る。
【００８０】
一実装形態では、ブロック960で選択された干渉減少技法を適切に適用した後、スモールセルは、それに関連付けられる負荷を再び決定して、ブロック970で、スモールセルに関連付けられる負荷またはトラフィックにおける変化に干渉モードが適合され得るように、十分にアンロードされた状態が存在するかどうかを決定することができる。たとえば、スモールセルが最初にしきい値を下回った最小のトラフィックを有しており、続いて現在のトラフィックがまったくないと決定する場合、ブロック970で、スモールセルは、1つまたは複数が最初に適用されなかった程度に、さらなる干渉減少技法を適用することもでき、および/または、以前に適用された1つまたは複数の干渉減少技法をより積極的に適用することもできる(たとえば、送信電力をさらに減少させる、帯域幅構成をさらに減少させる、等)。あるいは、スモールセルが、負荷が増加したので、スモールセルはもはや実質的にアンロードされたと見なされることはできないと決定する場合、ブロック970で、スモールセルは、増加した負荷に応じて、以前に適用された干渉減少技法を適合することができる。たとえば、スモールセルがアンロードされた状態を以前に検出して、低ダウンリンク構成に切り替えた場合、スモールセルは、スモールセルがもはやアンロードされない場合、構成をより多くのダウンリンクサブフレームを有するTDD構成、およびより多くのダウンリンクシンボルを有するSFF構成に切り替えることができる。同様に、スモールセルが以前に低帯域幅構成に切り替えた場合、スモールセルがもはやアンロードされない場合、スモールセルは高帯域幅構成に戻ることができる。さらに、ブロック970で減少された干渉モードを出る場合、スモールセルは、複数の干渉減少技法が以前に適用されたかどうかを決定して、特定の階層に応じてアンロードされた状態において複数の干渉減少技法が適用される、上述したものと同様の方法で、より負荷がかかった状態に基づいて構成を適切に切り替えることができる。
【００８１】
本開示の一態様によれば、図10は、ライセンスされていない帯域においてセルラーカバレッジを提供するアンロードされたスモールセルからの干渉を減少させるために使用され得る例示的なモジュラーアーキテクチャ1000を示している。より具体的には、一実装形態では、モジュラーアーキテクチャ1000は、スモールセルが、パイロット汚染を減少して、潜在的なWi-Fi干渉を軽減するように構成され得る1つまたは複数の他のモジュールを呼び出すために(たとえば、スモールセルがバッファされたトラフィックを有していない、しきい値を下回るトラフィックを有する等の場合)十分にアンロードされたかどうかを決定するために、スモールセルに関連付けられる負荷を一般的に監視し得る、負荷決定モジュール1010を含み得る。さらに、一実装形態では、負荷決定モジュール1010は、容量がライセンスされたキャリア容量によってではなく、バックホールによって制限されるかどうか、または、パイロット汚染を減少させて、潜在的なWi-Fi干渉を軽減するように構成された他のモジュールが呼び出され得るような、他の適切な状況が存在するかどうかを決定することができる。たとえば、バックホール帯域幅が、バックホールを共有する他のデバイスのために制限され得る使用事例では、ライセンスされたキャリアは、バックホール帯域幅の可用性に対応するオーバージエアトラフィックを上手に処理することができる。したがって、ライセンスされていないキャリア構成を適合させることは、他の利点のうち、パイロット汚染を減少させて、ネットワーク容量およびカバレッジを改善するために役立つことができる。逆に、ライセンスされたキャリアによって一定の容量の要件が適切に処理されていない場合(たとえば、バッファサイズ、ユーザの数等に基づいて)、特定の状況では、スモールセルに関連付けられる構成を適合させることが有利であり得る。したがって、負荷決定モジュール1010は、一般的に、カバレッジ、容量、および干渉影響間のトレードオフのバランスを取ることができる方法で、Wi-Fi干渉を減少させるために、スモールセルに関連付けられるライセンスされていない構成を適合させるために適切な状況が存在するかどうかを決定することができる。
【００８２】
一例では、負荷決定モジュール1010が、スモールセルに関連付けられるライセンスされてない構成を適合させるために適切な状況が存在すると決定すると(たとえば、アンロードされた状態を有するスモールセルに基づいて)、負荷決定モジュール1010は、時分割多重(TDD)Config0および特殊サブフレーム(SSF)Config5(たとえば、より少数のダウンリンクアクティビティを有するTDDおよびSFF構成)を備え得る、アンロードされたスモールセルを低ダウンリンク構成に切り替えることができる時間ドメイン管理モジュール1020を呼び出すことができる。さらに、低ダウンリンクTDD構成への切替えが、異なるTDD構成を送信している異なるスモールセルおよび/または他のeNBのために集中的な干渉をもたらす場合があるので、時間ドメイン管理モジュール1020は、低ダウンリンク構成への切替えに起因し得る集中的な干渉を適合させるために、レート制御ループを修正することができる。たとえば、時間ドメイン管理モジュール1020は、ダウンリンクサブフレームの間の干渉を示すための第1のCQIレポートと、残りのサブフレーム間の干渉を示すための第2のCQIレポートとを含み得る、UEからのデュアルCQIレポートをスケジューリングすることができる。あるいは、時間ドメイン管理モジュール1020は、代替のCQIフィードバックをスケジューリングすることができ、ダウンリンクサブフレームへの干渉を表すためのCQIレポートは、第1の間隔においてスケジューリングされてよく、残りのサブフレームへの干渉を表すためのCQIレポートは、第2の間隔においてスケジューリングされてよく、以下同様である。さらに、LTEでは、チャネル推定およびCQIフィルタリングは、低ダウンリンク構成を考慮することができる。たとえば、ダウンリンクサブフレームへの干渉推定は、ダウンリンクサブフレームが、ダウンリンクサブフレームの前に、および/または、その後に、サブフレームに行われた干渉推定に影響を与えないように、別途平均化され得る。
【００８３】
別の例では、負荷決定モジュール1010が、スモールセルに関連付けられるライセンスされていない構成を適合させるために適切な状況が存在すると決定すると(たとえば、アンロードされた状態を有するスモールセルに基づいて)、負荷決定モジュール1010は、スモールセルを低帯域幅構成(たとえば、1.25MHz帯域幅構成)に切り替えることができる周波数ドメイン管理モジュール1030を呼び出すことができる。さらに、周波数ドメイン管理モジュール1030は、スモールセルに関連付けられる特定の実装形態(たとえば、スモールセルはどのくらいの頻度で、性能に影響を与えずに帯域幅を切り替えることができるか)に基づいて、スモールセルが低帯域幅構成に切り替えられ得るかどうかを決定することができる。さらに、周波数ドメイン管理モジュール1030は、スモールセルを、パイロット汚染および/またはWi-Fi干渉を減少するために動作する際に、すべてのアンロードされたスモールセルが切り替える合意したチャネル番号および/または周波数に切り替えることができ、それによって、すべてのパイロット信号送信、ならびに1つのチャネルおよび/または周波数への潜在的な干渉を集中させて、他のすべてのチャネルおよび周波数を、パイロット信号送信および任意の潜在的な干渉から解放する。
【００８４】
別の例では、負荷決定モジュール1010が、スモールセルに関連付けられるライセンスされていない構成を適合させるために適切な状況が存在すると決定すると(たとえば、アンロードされた状態を有するスモールセルに基づいて)、負荷決定モジュール1010は、ネットワークカバレッジ、容量、および干渉影響間のトレードオフのバランスを取るために、スモールセルに関連付けられる送信電力を適合させることができる電力ドメイン管理モジュール1040を呼び出すことができる。具体的には、電力ドメイン管理モジュール1040は、ネットワークリスニングおよび/またはUE支援の測定値に基づいてネットワークトポロジに動的に適合させることができる電力管理フレームワークを使用して、ネットワーク容量を最適化して、パイロット汚染を最小化するために、スモールセルに関連付けられる送信電力を適合させることができる。より具体的には、電力ドメイン管理モジュール1040は、ライセンスされていない帯域内のスモールセルに関連付けられる送信電力を適合させるためにWi-Fi測定値と組み合わせてセルラー測定値を使用することができるのに対し、ライセンスされている帯域内の送信電力を管理するステップは、一般的に、セルラー測定値のみに依存する。このように、電力ドメイン管理モジュール1040は、スモールセルで受信されたWi-Fi信号を測定することができ、測定されたWi-Fi信号が第1のしきい値(たとえば、それを上回ると、スモールセルがWi-Fi信号との干渉を引き起こす可能性があるしきい値)を超える場合、電力ドメイン管理モジュール1040は、スモールセルで受信および測定された、UEから報告された、等のセルラー信号に関連付けられる電力を示す、受信された信号コード電力(RSCP)測定値を含み得る他のセルラー測定値に従って、スモールセルに関連付けられる送信電力を適切に減少させることができる。このように、電力ドメイン管理モジュール1040は、他のセルラー測定値が、測定されたセルラー信号に関連付けられる合計RSCPがRSCPしきい値を超えることを示す場合、第1のしきい値を超えると決定されたWi-Fi信号との干渉を減少させるために、スモールセルに関連付けられる送信電力を積極的に減少させることができる。さらに、カバレッジ、容量、および干渉影響間のトレードオフのバランスを取るために、電力ドメイン管理モジュール1040は、Wi-Fi測定値に基づいてRSCPしきい値を適合させることができる。たとえば、電力ドメイン管理モジュール1040は、Wi-Fi測定値が第2のしきい値を超える場合、RSCPしきい値を減少させて、それによって、より強いWi-Fi信号が測定されるとスモールセルに関連付けられる送信電力をより積極的に減少させることができる。それに関連して、電力ドメイン管理モジュール1040は、Wi-Fi測定値が第2のしきい値および/または第1のしきい値を下回る場合、RSCPしきい値を増加させて、それによって、弱いWi-Fi信号が測定されると、スモールセルに関連付けられる送信電力をあまり積極的ではなく減少させることができる。
【００８５】
本開示の一態様によれば、図11は、ライセンスされていない帯域においてセルラーカバレッジを提供するスモールセルからの干渉を減少することを容易にし得る、例示的なシステム1100を示している。たとえば、図11に示されるシステム1100は、スモールセル内に少なくとも部分的に常駐してもよく、システム1100は、代替で、スモールセル内に完全に、またはスモールセルとは完全に無関係にエンティティ内に常駐してもよい。当業者は、システム1100が、プロセッサ、ソフトウェア、またはそれらの組合せ(たとえば、ファームウェア)によって実装される機能を表す機能ブロックでよい機能ブロックを含むものとして表されることをさらに理解するであろう。一実装形態では、システム1100は、ライセンスされていない帯域においてセルラーカバレッジを提供するスモールセルからの干渉を減少することを容易にし得る、電気構成要素1102の論理グルーピングを含み得る。たとえば、電気構成要素1102の論理グルーピングは、スモールセルに関連付けられる負荷を決定するためのモジュール1104を含み得る。さらに、電気構成要素1102の論理グルーピングは、スモールセルに関連付けられるカバレッジエリア内、またはその近隣で送信され得るWi-Fi信号との干渉を減少させるために(たとえば、スモールセルは実質的にアンロードされたと決定するモジュール1104に応答して)、スモールセルに関連付けられる構成を切り替えるためのモジュール1106を備え得る。さらに、様々な実装形態では、スモールセルに関連付けられる構成を切り替えるためのモジュール1106は、時間ドメイン、周波数ドメイン、電力ドメイン、またはそれらの任意の適切な組合せにおいて切替えを呼び出すように構成され得る。さらに、システム1100は、モジュール1104および1106に関連付けられる機能を実行するための命令を保持するメモリ1110を含み得る。メモリ1110の外部にあるように示されているが、当業者は、モジュール1104および/またはモジュール1106はメモリ1110内に存在し得ることを理解するであろう。
【００８６】
図12は、機能を実行するように構成された論理を含む通信デバイス1200を示している。通信デバイス1200は、これに限定されないが、ワイヤレス通信ネットワーク100および200の任意の構成要素、混合通信ネットワーク環境500の任意の構成要素、スモールセル601、ユーザデバイス602等を含む、上述の通信デバイスのうちのいずれかに対応することができる。
【００８７】
図12を参照すると、通信デバイス1200は、情報1205を受信および/または送信するように構成された論理を含む。ある例では、通信デバイス1200がワイヤレス通信デバイス(たとえば、スモールセル601またはユーザデバイス602)に対応する場合、情報1205を受信および/または送信するように構成された論理は、ワイヤレストランシーバおよび関連ハードウェア(たとえば、RFアンテナ、MODEM、変調器、および/または復調器等)などの、ワイヤレス通信インターフェース(たとえば、ブルートゥース、Wi-Fi、2G、CDMA、W-CDMA、3G、4G、LTE等)を含み得る。別の例では、情報1205を受信および/または送信するように構成された論理は、ワイヤード通信インターフェース(たとえば、シリアル接続、USBまたはFirewire接続、インターネットがアクセスされ得るイーサネット（登録商標）接続等)に対応し得る。したがって、通信デバイス1200が何らかのタイプのネットワークベースのサーバ(たとえば、アプリケーションサーバ)に対応する場合、情報1205を受信および/または送信するように構成された論理は、ある例ではネットワークベースのサーバを、イーサネット（登録商標）プロトコルを介して他の通信エンティティに接続するイーサネット（登録商標）カードに対応し得る。さらなる例では、情報1205を受信および/または送信するように構成された論理は、それを通じて通信デバイス1200がそのローカル環境を監視できる、感覚または計測ハードウェア(たとえば、加速度計、温度センサ、光センサ、ローカルRF信号を監視するためのアンテナ等)を含み得る。情報1205を受信および/または送信するように構成された論理はまた、実行されると、情報1205を受信および/または送信するように構成された論理の関連ハードウェアがその受信および/または送信機能を実行することを可能にするソフトウェアを含み得る。しかしながら、情報1205を受信および/または送信するように構成された論理はソフトウェアだけに対応せず、情報1205を受信および/または送信するように構成された論理は、その機能を達成するためにハードウェアに少なくとも部分的に依存する。
【００８８】
図12を参照すると、通信デバイス1200は、情報1210を処理するように構成された論理をさらに含む。ある例では、情報1210を処理するように構成された論理は、少なくとも1つのプロセッサを含み得る。情報1210を処理するように構成された論理によって実行され得る処理のタイプの例示的な実装形態は、これに限定されないが、決定の実行、接続の確立、異なる情報オプション間の選択を行うこと、データに関連した評価の実行、測定動作を実行するために通信デバイス1200に結合されたセンサとの相互作用、あるフォーマットから別のフォーマットへの情報の変換(たとえば、.wmvから.aviへなどの異なるプロトコル間)、等を含む。たとえば、情報1210を処理するように構成された論理に含まれるプロセッサは、汎用プロセッサ、デジタル信号プロセッサ(DSP)、ASIC、フィールドプログラマブルゲートアレイ(FPGA)または他のプログラム可能論理デバイス、ディスクリートゲートまたはトランジスタロジック、ディスクリートハードウェア構成要素、あるいは本明細書に記載の機能を実行するように設計されたそれらの任意の組合せに対応し得る。汎用プロセッサはマイクロプロセッサであり得るが、代替では、プロセッサは任意の従来型プロセッサ、コントローラ、マイクロコントローラ、または状態機械であり得る。プロセッサはまた、あるいは代替で、コンピューティングデバイスの組合せ(たとえば、DSPとマイクロプロセッサとの組合せ、複数のマイクロプロセッサ、DSPコアと連動する1つまたは複数のマイクロプロセッサ、あるいは他の任意のそのような構成)として実装され得る。情報1210を処理するように構成された論理はまた、実行されると、情報1210を処理するように構成された論理の関連ハードウェアが、その処理機能を実行することを可能にするソフトウェアを含み得る。しかしながら、情報1210を処理するように構成された論理はソフトウェアだけに対応せず、情報1210を処理するように構成された論理は、その機能を達成するためにハードウェアに少なくとも部分的に依存する。
【００８９】
図12を参照すると、通信デバイス1200は、情報1215を記憶するように構成された論理をさらに含む。ある例では、情報1215を記憶するように構成された論理は、少なくとも1つの非一時的メモリおよび関連ハードウェア(たとえば、メモリコントローラ等)を含み得る。たとえば、情報1215を記憶するように構成された論理に含まれる非一時的メモリは、RAM、フラッシュメモリ、ROM、消去可能プログラマブルROM(EPROM)、EEPROM、レジスタ、ハードディスク、リムーバブルディスク、CD-ROM、または当技術分野で知られている他の任意の形態の記憶媒体に対応し得る。情報1215を記憶するように構成された論理はまた、実行されると、情報1215を記憶するように構成された論理の関連ハードウェアが、その処理機能を実行することを可能にするソフトウェアを含み得る。しかしながら、情報1215を記憶するように構成された論理はソフトウェアだけに対応せず、情報1215を記憶するように構成された論理は、その機能を達成するためにハードウェアに少なくとも部分的に依存する。
【００９０】
図12を参照すると、通信デバイス1200は、情報1220を提示するように構成された論理をさらに任意で含む。ある例では、情報1220を提示するように構成された論理は、少なくとも1つの出力デバイスと関連ハードウェアとを含み得る。たとえば、出力デバイスは、ビデオ出力デバイス(たとえば、ディスプレイスクリーン、USB、HDMI（登録商標）などのビデオ情報を搬送することができるポート、等)、音声出力デバイス(たとえば、スピーカ、マイクロフォンジャック、USB、HDMI（登録商標）などの音声情報を搬送することができるポート、等)、振動デバイス、ならびに/あるいは、出力のために情報がフォーマットされ得る、あるいは通信デバイス1200のユーザまたは事業者によって実際に出力された、他の任意のデバイスを含み得る。情報1220を提示するように構成された論理は、ローカルユーザを有していないネットワーク通信デバイス(たとえば、ネットワークスイッチまたはルータ、リモートサーバ等)などの特定の通信デバイスに関しては省略され得る。情報1220を提示するように構成された論理はまた、実行されると、情報1220を提示するように構成された論理の関連ハードウェアが、その提示機能を実行することを可能にするソフトウェアを含み得る。しかしながら、情報1220を提示するように構成された論理はソフトウェアだけに対応せず、情報1220を提示するように構成された論理は、その機能を達成するためにハードウェアに少なくとも部分的に依存する。
【００９１】
図12を参照すると、通信デバイス1200は、ローカルユーザ入力1225を受信するように構成された論理をさらに任意で含む。ある例では、ローカルユーザ入力1225を受信するように構成された論理は、少なくとも1つのユーザ入力デバイスおよび関連ハードウェアを含み得る。たとえば、ユーザ入力デバイスは、ボタン、タッチスクリーンディスプレイ、キーボード、カメラ、オーディオ入力デバイス(たとえば、マイクロフォン、またはマイクロフォンジャックなどのオーディオ情報を搬送することができるポート、等)、および/または、それによって通信デバイス1200のユーザまたは事業者から情報が受信され得る、他の任意のデバイスを含み得る。ローカルユーザ入力1225を受信するように構成された論理は、ローカルユーザを有していないネットワーク通信デバイス(たとえば、ネットワークスイッチまたはルータ、リモートサーバ、等)などの特定の通信デバイスに関しては省略され得る。ローカルユーザ入力1225を受信するように構成された論理はまた、実行されると、ローカルユーザ入力1225を受信するように構成された論理の関連ハードウェアが、その入力受信機能を実行することを可能にするソフトウェアを含み得る。しかしながら、ローカルユーザ入力1225を受信するように構成された論理はソフトウェアだけに対応せず、ローカルユーザ入力1225を受信するように構成された論理は、その機能を達成するためにハードウェアに少なくとも部分的に依存する。
【００９２】
図12を参照すると、1205から1225の構成されたロジックは図12において別々の、または別個のブロックとして示されているが、それぞれの構成された論理がその機能を実行するハードウェアおよび/またはソフトウェアは部分的に重複する場合があることが理解されよう。たとえば、1205から1225の構成された論理の機能を容易にするために使用される任意のソフトウェアは、1205から1225の構成された論理が、情報1215を記憶するように構成された論理によって記憶されたソフトウェアの動作に部分的に基づいて、それぞれがそれらの機能を実行(すなわち、この場合はソフトウェア実行)できるように、情報1215を記憶するように構成された論理に関連付けられる非一時的メモリに記憶され得る。同様に、構成された論理のうちの1つに直接関連付けられるハードウェアは、時々他の構成された論理によって借りられ得るか、または使用され得る。たとえば、情報1210を処理するように構成された論理のプロセッサは、情報1205を受信および/または送信するように構成された論理が、情報1210を処理するように構成された論理に関連付けられるハードウェア(すなわち、プロセッサ)の動作に部分的に基づいて、その機能を実行(すなわち、この場合はデータの送信)できるように、情報1205を受信および/または送信するように構成された論理によって送信される前に、データを適切なフォーマットにフォーマットすることができる。
【００９３】
一般的に、特に明示的に述べられない限り、本開示を通して使用される、「モジュール(module)」、「論理(logic)」、「構成要素(component)」、「システム(system)」、および同様の用語は、少なくとも部分的にハードウェアで実装されている態様を呼び出すことが意図され、ハードウェアから独立しているソフトウェアのみの実装形態をマッピングすることを意図するものではない。たとえば、モジュール、構成要素、または同様のものは、これに限定されないが、プロセッサ上で実行している処理、プロセッサ、オブジェクト、実行ファイル、実行のスレッド、プログラム、および/またはコンピュータであり得る。例として、コンピューティングデバイス上で実行しているアプリケーションと、コンピューティングデバイスとの両方は、モジュール、構成要素、または同様のものであり得る。1つまたは複数のモジュール、構成要素等は、処理および/または実行のスレッド内に常駐することができ、モジュール、構成要素等は、1つのコンピュータ上に局在化されてもよく、および/または2つ以上のコンピュータ間で分散されてもよい。さらに、これらのモジュール、構成要素等は、様々なデータ構造を記憶した様々なコンピュータ可読媒体から実行することができる。モジュール、構成要素等は、信号として他のシステムを有するインターネットなどの、ローカルシステム、分散システム内で、および/またはネットワークにわたって、別のモジュール、構成要素等と相互作用している、1つのモジュール、構成要素等からのデータなどの、1つまたは複数のデータパケットを有する信号に従うような、ローカルおよび/または遠隔プロセスを介して通信することができる。また、様々なブロック内の「論理」という用語、「するように構成された論理(logic configured to)」という語句は、特定の論理ゲートまたは要素に限定されず、一般的に、本明細書に記載される機能を実行する(ハードウェア、またはハードウェアとソフトウェアの組合せのいずれかを介して)能力を指すことが理解されるであろう。したがって、様々なブロックに示される構成された論理、または「するように構成された論理」は、「論理」という単語を共有するにもかかわらず、必ずしも論理ゲートまたは論理要素として実装されない。様々なブロック内の論理間の他の相互作用または協力は、以下でより詳細に説明する態様のレビューから当業者に明らかになるであろう。
【００９４】
様々な態様は、図13に示されるサーバ1300などの、様々な市販のサーバデバイスのいずれにおいても実装され得る。ある例では、サーバ1300は、上述のスモールセルの1つの例示的な構成に対応し得る。図13では、サーバ1300は、揮発性メモリ1302、およびディスクドライブ1303などの大容量不揮発性メモリに結合されたプロセッサ1301を含む。サーバ1300はまた、プロセッサ1301に結合された、フロッピー（登録商標）ディスクドライブ、コンパクトディスク(CD)またはDVDディスクドライブ1306を含み得る。サーバ1300はまた、他のブロードキャストシステムコンピュータおよびサーバに、またはインターネットに接続されたローカルエリアネットワークなどの、ネットワーク1307とのデータ接続を確立するためにプロセッサ1301に結合されたネットワークアクセスポート1304を含み得る。図12に関連して、図13のサーバ1300は、通信デバイス1200の1つの例示的な実装形態例を示しており、それによって、情報1205を送信および/または受信するように構成された論理は、ネットワーク1307と通信するためにサーバ1300によって使用されるネットワークアクセスポイント1304に対応することができ、情報1210を処理するように構成された論理はプロセッサ1301に対応することができ、情報1215を記憶するための論理構成は、揮発性メモリ1302、ディスクドライブ1303、および/またはディスクドライブ1306の任意の組合せに対応することができることが理解されるであろう。情報1220を提示するように構成された任意の論理と、ローカルユーザ入力1225を受信するように構成された任意の論理とは、図13に明示的に示されておらず、それに含まれてもよく、含まれなくてもよい。したがって、図13は、通信デバイス1200が、上述のUE実装形態に加えて、サーバとして実装され得ることを実証するのに役立つ。
【００９５】
当業者は、情報および信号は、様々な異なる技術および技法のいずれかを使用して表すことができることが理解できるであろう。たとえば、上記の説明を通じて参照され得るデータ、命令、コマンド、情報、信号、ビット、記号、およびチップは、電圧、電流、電磁波、磁場または磁性粒子、光場または光学粒子、あるいはそれらの任意の組合せによって表すことができる。
【００９６】
さらに、当業者は、本明細書に開示した態様に関連して説明した様々な例示的な論理ブロック、モジュール、回路、およびアルゴリズムステップは、電子ハードウェア、コンピュータソフトウェア、または両方の組合せとして実装することができることが理解できるであろう。このハードウェアとソフトウェアの互換性を明確に例示するために、様々な例示的な構成要素、ブロック、モジュール、回路、およびステップが、それらの機能の観点から一般的に上述されている。そのような機能がハードウェアとソフトウェアのどちらとして実装されるかは、システム全体に課せられている特定のアプリケーションおよび設計の制約に依存する。当業者は、説明される機能を具体的な応用形態ごとに様々な方法で実現することができるが、そのような実現の決定は、本開示の範囲からの逸脱を生じるものと解釈されるべきではない。
【００９７】
本明細書に開示した実施形態とともに説明された方法、シーケンス、および/またはアルゴリズムは、ハードウェアに直接に、プロセッサによって実行されるソフトウェアモジュールに、あるいはその2つの組合せに実施することができる。ソフトウェアモジュールは、RAMメモリ、フラッシュメモリ、ROMメモリ、EPROMメモリ、EEPROMメモリ、レジスタ、ハードディスク、リムーバブルディスク、CD-ROM、あるいは当技術分野において知られている他の任意の形態の記憶媒体の中に常駐することができる。例示的な記憶媒体は、プロセッサが、記憶媒体から情報を読み取り、そして記憶媒体に情報を書き込むことができるように、プロセッサに結合される。代替案において、記憶媒体は、プロセッサと一体化していてもよい。
【００９８】
1つまたは複数の例示的な態様では、説明された機能は、ハードウェア、ソフトウェア、ファームウェア、またはそれらの任意の組合せに実装され得る。ソフトウェアに実装される場合、機能は、1つあるいは複数の命令またはコードとしてコンピュータ可読媒体に記憶されてもよく、それを介して送信されてもよい。コンピュータ可読媒体は、コンピュータストレージ媒体と、ある場所から別の場所へのコンピュータプログラムの転送を容易にする任意の媒体を含む通信媒体との両方を含む。記憶媒体は、コンピュータによってアクセスされ得る任意の利用可能な媒体であり得る。例として、これに限定されないが、そのようなコンピュータ可読媒体は、RAM、ROM、EEPROM、CD-ROMまたは他の光ディスクストレージ、磁気ディスクストレージまたは他の磁気ストレージデバイス、あるいは所望のプログラムコードを命令またはデータ構造の形態で搬送または記憶するために使用され得る、およびコンピュータによってアクセスされ得る、他の任意の媒体を備え得る。また、任意の接続は、適切にコンピュータ可読媒体と呼ばれ得る。たとえば、ソフトウェアがウェブサイト、サーバ、または他の遠隔ソースから、同軸ケーブル、光ファイバケーブル、ツイストペア線、デジタル加入者回線(DSL)、または赤外線、無線、およびマイクロ波などのワイヤレス技術を使用して送信される場合、同軸ケーブル、光ファイバケーブル、ツイストペア線、デジタル加入者回線(DSL)、または赤外線、無線、およびマイクロ波などのワイヤレス技術は、媒体の定義に含まれる。本明細書で使用される場合、ディスク(disk)およびディスク(disc)は、コンパクトディスク(CD)、レーザディスク、光ディスク、デジタル多用途ディスク(DVD)、フロッピー（登録商標）ディスクおよびブルーレイディスクを含み、ディスク(disk)は通常データを磁気的に再生するのに対し、ディスク(disc)レーザを用いて光学的にデータを再生する。上記の組合せも、コンピュータ可読媒体の範囲内に含まれるべきである。
【００９９】
したがって、本開示の態様は、ライセンスされていない帯域においてセルラーカバレッジを提供するスモールセルからの干渉を減少させるための方法を具現化するコンピュータ可読媒体を含むことができる。したがって、本開示は図示された例に限定されるものではなく、本明細書に記載の機能を実行するための任意の手段は本開示の態様に含まれる。
【０１００】
前述の開示は例示的実施形態を示しているが、添付の特許請求の範囲によって定義されるような本開示の範囲から逸脱することなしに、様々な変更および修正が本明細書に行われてよいことに留意されたい。本明細書に記載の本開示の態様による、方法クレームの機能、ステップ、および/または動作は、何らかの特定の順序で実行される必要はない。さらに、本開示の要素は、単数形で説明され、あるいは特許請求され得るが、単数形への限定が明示的に述べられていない限り、複数形も企図される。
【符号の説明】
【０１０１】
100  ロングタームエボリューション(LTE)ネットワークアーキテクチャ、進化型パケットシステム(EPS)、ワイヤレス通信ネットワーク
102  ユーザ機器(UE)
104  進化型UMTS地上無線アクセスネットワーク(E-UTRAN)
106  進化型NodeB(eNB)
108  eNB
110  進化型パケットコア(EPC)
112  モビリティ管理エンティティ(MME)
114  MME
116  サービングゲートウェイ
118  パケットデータネットワーク(PDN)ゲートウェイ
120  ホーム加入者サーバ(HSS)
122  オペレータのインターネットプロトコル(IP)サービス
124  マルチメディアブロードキャストマルチキャストサービス(MBMS)ゲートウェイ
126  ブロードキャストマルチキャストサービスセンタ(BM-SC)
200  ワイヤレス通信ネットワーク
202  セル
202A〜202G  セル
204  基地局
204A〜204G  基地局
206  ユーザデバイス
206A〜206L  ユーザデバイス
300  例示的な環境
302  基地局(BS)
304  カバレッジ
306  基地局(BS)
308  カバレッジエリア
310  共通の環境
400  例示的なワイヤレス通信システム
402  アクセスポイント
402  基地局
404  送信(TX)データプロセッサ
406  変調器
408  送信機/受信機
410  アンテナ
412  復調器
414  RXデータプロセッサ
416  プロセッサ
418  メモリ
420  カウンタ
420  ユニット
422  アクセス端末
422  CPE
424  アンテナ
426  送信機/受信機
426  CPE受信機
428  復調器
430  RXデータプロセッサ
432  プロセッサ
436  TXデータプロセッサ
438  変調器
440  メモリ
442  カウンタ
442  ユニット
500  ネットワーク環境、混合通信ネットワーク環境
505  マクロ基地局
510  スモールセル
512  スモールセル
515  領域
517  領域
520  ユーザデバイス
521  ユーザデバイス
522  ユーザデバイス
530  マクロ領域
540  ネットワーク
540  通信ネットワーク
550  スモールセル
552  802.11xアクセスポイント(AP)
554  フェムトセルサイトモデム(FSM)
556  ネットワークリッスン(NL)モジュール
558  ネットワークリッスン(NL)モジュール
560  ホスト
562  局(STA)
564  UE
601  スモールセル
602  ユーザデバイス
610  TXデータプロセッサ
620  シンボル変調器
630  送信機ユニット(TMTR)
640  アンテナ
650  受信機ユニット(RCVR)
660  シンボル復調器
670  RXデータプロセッサ
680  構成情報プロセッサ
682  コントローラ/プロセッサ、汎用コントローラ/プロセッサ
684  メモリ
686  バス
690  NLM
692  802.11xAP、AP
694  FSM
700  例示的な送信構造
710  eNB
720  MIB
720  UE
722  SIBタイプ1(SIB1)メッセージ
724  SIB2メッセージ
800  例示的な方法
900  例示的な方法
1000  例示的なモジュラーアーキテクチャ
1010  負荷決定モジュール
1020  時間ドメイン管理モジュール
1030  周波数ドメイン管理モジュール
1040  電力ドメイン管理モジュール
1100  例示的なシステム
1102  電気構成要素
1104  モジュール
1106  モジュール
1110  メモリ
1200  通信デバイス
1205  情報
1210  情報
1215  情報
1220  情報
1225  ローカルユーザ入力
1300  サーバ
1301  プロセッサ
1302  揮発性メモリ
1303  ディスクドライブ
1304  ネットワークアクセスポート
1306  フロッピー（登録商標）ディスクドライブ、コンパクトディスク(CD)またはDVDディスクドライブ、ディスクドライブ
1307  ネットワーク
【図１】
2016534655.tif 000007
【図２】
2016534655.tif 000008
【図３】
2016534655.tif 000009
【図４】
2016534655.tif 000010
【図５Ａ】
2016534655.tif 000011
【図５Ｂ】
2016534655.tif 000012
【図６】
2016534655.tif 000013
【図７Ａ】
2016534655.tif 000014
【図７Ｂ】
2016534655.tif 000015
【図８】
2016534655.tif 000016
【図９】
2016534655.tif 000017
【図１０】
2016534655.tif 000018
【図１１】
2016534655.tif 000019
【図１２】
2016534655.tif 000020
【図１３】
2016534655.tif 000021
【手続補正書】
【提出日】平成28年3月7日(2016.3.7)
【手続補正１】
【補正対象書類名】特許請求の範囲
【補正対象項目名】全文
【補正方法】変更
【補正の内容】
【特許請求の範囲】
【請求項１】
1つまたは複数のライセンスされていない帯域においてセルラーカバレッジを提供するスモールセルからの干渉を減少させるための方法であって、
前記スモールセルに関連付けられる負荷を決定するステップと、
前記スモールセルに関連付けられるトラフィックがしきい値を下回ることを示す前記決定された負荷に応答して、1つまたは複数のWi-Fi測定値に少なくとも部分的に基づいて、前記スモールセルを減少された干渉構成に切り替えるステップとを備え、前記スモールセルが、時間ドメイン、周波数ドメイン、電力ドメイン、またはそれらの任意の組合せのうちの少なくとも1つにおいて、前記減少された干渉構成に切り替える、方法。
【請求項２】
前記スモールセルを、前記時間ドメインにおいて前記減少された干渉構成に切り替えるステップが、
前記スモールセルを低ダウンリンク構成に切り替えるステップを備える、請求項1に記載の方法。
【請求項３】
前記低ダウンリンク構成が時分割多重(TDD)Config0ダウンリンク構成を備える、請求項2に記載の方法。
【請求項４】
前記低ダウンリンク構成が特殊サブフレーム(SSF)Config5ダウンリンク構成をさらに備える、請求項3に記載の方法。
【請求項５】
前記スモールセルを、前記周波数ドメインにおいて前記減少された干渉構成に切り替えるステップが、
前記スモールセルを低帯域幅構成に切り替えるステップを備える、請求項1に記載の方法。
【請求項６】
前記低帯域幅構成が1.25MHz帯域幅構成を備える、請求項5に記載の方法。
【請求項７】
前記スモールセルが、前記しきい値を下回るトラフィックを有する複数のスモールセルのうちの1つを備え、前記スモールセルを、前記周波数ドメインにおいて前記減少された干渉構成に切り替えるステップが、
前記複数のスモールセルを、同じ周波数、同じチャネル番号、またはそれらの任意の組合せのうちの1つまたは複数に移動させるステップを備える、請求項1に記載の方法。
【請求項８】
前記スモールセルを、前記電力ドメインにおいて前記減少された干渉構成に切り替えるステップが、
前記1つまたは複数のWi-Fi測定値と組み合わせて1つまたは複数のセルラー測定値に基づいて、前記スモールセルに関連付けられる送信電力を適合させるステップを備える、請求項1に記載の方法。
【請求項９】
前記スモールセルに関連付けられる前記送信電力を適合させるステップが、
前記スモールセルで、1つまたは複数のWi-Fi信号を測定するステップと、
前記1つまたは複数の測定されたWi-Fi信号に基づいて、受信された信号コード電力(RSCP)しきい値を決定するステップと
を備える、請求項8に記載の方法。
【請求項１０】
前記スモールセルに関連付けられる前記送信電力を適合させるステップが、
1つまたは複数のセルラー信号を測定するステップと、
第1のしきい値を超える前記1つまたは複数の測定されたWi-Fi信号と、前記RSCPしきい値を超える前記1つまたは複数の測定されたセルラー信号とに応答して、前記スモールセルに関連付けられる前記送信電力を減少させるステップと
をさらに備える、請求項9に記載の方法。
【請求項１１】
前記スモールセルに関連付けられる前記送信電力を適合させるステップが、
第2のしきい値を超える前記1つまたは複数の測定されたWi-Fi信号に応答して、前記RSCPしきい値を減少させるステップをさらに備える、請求項10に記載の方法。
【請求項１２】
パイロット汚染を減少させるために、1つまたは複数のWi-Fi信号との潜在的な干渉を軽減するために、あるいはそれらの組合せのために、前記スモールセルが、前記減少された干渉構成を自律的に切り替える、請求項1に記載の方法。
【請求項１３】
前記スモールセルに関連付けられる前記トラフィックが前記しきい値を満たす、またはそれを超えるように、前記スモールセルに関連付けられる前記負荷が変更したと決定するステップに応答して、前記減少された干渉構成を出るステップをさらに備える、請求項1に記載の方法。
【請求項１４】
スモールセルであって、
1つまたは複数のライセンスされていない帯域においてセルラーカバレッジを提供するように構成されたエアインターフェースと、
前記スモールセルに関連付けられる負荷を決定して、前記スモールセルがしきい値を下回るトラフィックを有することを示す前記決定された負荷に応答して、1つまたは複数のWi-Fi測定値に少なくとも部分的に基づいて、時間ドメイン、周波数ドメイン、電力ドメイン、またはそれらの任意の組合せのうちの少なくとも1つにおける前記スモールセルに関連付けられる構成を切り替えるように構成された少なくとも1つのプロセッサを備えるホストと
を備える、スモールセル。
【請求項１５】
前記少なくとも1つのプロセッサが、前記時間ドメインにおける干渉を減少させるために、前記スモールセルに関連付けられる前記構成を低ダウンリンク構成に切り替えるように構成される、請求項14に記載のスモールセル。
【請求項１６】
前記低ダウンリンク構成が、時分割多重(TDD)Config0ダウンリンク構成、特殊サブフレーム(SSF)Config5ダウンリンク構成、またはそれらの任意の組合せのうちの1つまたは複数を備える、請求項14に記載のスモールセル。
【請求項１７】
前記少なくとも1つのプロセッサが、前記周波数ドメインにおける干渉を減少させるために、前記スモールセルに関連付けられる前記構成を低帯域幅構成に切り替えるように構成される、請求項14に記載のスモールセル。
【請求項１８】
前記少なくとも1つのプロセッサが、前記周波数ドメインにおける干渉を減少させるために、前記スモールセルを、前記しきい値を下回るトラフィックを有する1つまたは複数の追加のスモールセルと同じ周波数または同じチャネル番号のうちの1つまたは複数に切り替えるように構成される、請求項14に記載のスモールセル。
【請求項１９】
前記少なくとも1つのプロセッサが、前記電力ドメインにおける干渉を減少させるために、前記1つまたは複数のWi-Fi測定値と組み合わせて1つまたは複数のセルラー測定値に基づいて、前記スモールセルに関連付けられる送信電力を適合させるように構成される、請求項14に記載のスモールセル。
【請求項２０】
1つまたは複数のWi-Fi信号を測定するように構成され、前記少なくとも1つのプロセッサが、前記1つまたは複数の測定されたWi-Fi信号に基づいて、受信された信号コード電力(RSCP)しきい値を決定するようにさらに構成される、第1のネットワークリッスンモジュールと、
1つまたは複数のセルラー信号を測定するように構成され、前記少なくとも1つのプロセッサが、第1のしきい値を超える前記1つまたは複数の測定されたWi-Fi信号と、前記RSCPしきい値を超える前記1つまたは複数の測定されたセルラー信号とに応答して、前記スモールセルに関連付けられる前記送信電力を減少させるようにさらに構成される、第2のネットワークリッスンモジュールと
をさらに備える、請求項19に記載のスモールセル。
【請求項２１】
前記少なくとも1つのプロセッサが、第2のしきい値を超える前記1つまたは複数の測定されたWi-Fi信号に応答して、前記RSCPしきい値を減少させるようにさらに構成される、請求項20に記載のスモールセル。
【請求項２２】
前記少なくとも1つのプロセッサが、前記しきい値を満たす、またはそれを超える、トラフィックを有する前記スモールセルに応答して、前記スモールセルに関連付けられる前記構成を以前の状態に切り替えるようにさらに構成される、請求項14に記載のスモールセル。
【請求項２３】
1つまたは複数のライセンスされていない帯域においてセルラーカバレッジを提供するスモールセルに関連付けられる負荷を決定するための手段と、
前記スモールセルに関連付けられるトラフィックがしきい値を下回ることを示す前記決定された負荷に応答して、1つまたは複数のWi-Fi測定値に少なくとも部分的に基づいて、時間ドメイン、周波数ドメイン、電力ドメイン、またはそれらの任意の組合せのうちの少なくとも1つにおいて干渉を減少させるために、前記スモールセルに関連付けられる構成を切り替えるための手段と
を備える、装置。
【請求項２４】
切り替えるための前記手段が、前記時間ドメインにおける干渉を減少させるために、前記スモールセルに関連付けられる前記構成を低ダウンリンク構成に切り替えるように構成される、請求項23に記載の装置。
【請求項２５】
切り替えるための前記手段が、前記周波数ドメインにおける干渉を減少させるために、前記スモールセルに関連付けられる前記構成を、低帯域幅構成、前記しきい値を下回るトラフィックを有する1つまたは複数の追加のスモールセルと同じ周波数、あるいは前記しきい値を下回るトラフィックを有する前記1つまたは複数の追加のスモールセルと同じチャネル番号のうちの1つまたは複数に切り替えるように構成される、請求項23に記載の装置。
【請求項２６】
切り替えるための前記手段が、前記電力ドメインにおける干渉を減少させるために、前記1つまたは複数のWi-Fi測定値と組み合わせて1つまたは複数のセルラー測定値に基づいて、前記スモールセルに関連付けられる送信電力を適合させるように構成される、請求項23に記載の装置。
【請求項２７】
コンピュータ実行可能命令を記録したコンピュータ可読記憶媒体であって、少なくとも1つのプロセッサ上で前記コンピュータ実行可能命令を実行することが、前記少なくとも1つのプロセッサに、
1つまたは複数のライセンスされていない帯域においてセルラーカバレッジを提供するスモールセルに関連付けられる負荷を決定することと、
前記スモールセルがしきい値を下回るトラフィックを有することを示す前記決定された負荷に応答して、1つまたは複数のWi-Fi測定値に少なくとも部分的に基づいて、時間ドメイン、周波数ドメイン、電力ドメイン、またはそれらの任意の組合せのうちの少なくとも1つにおける干渉を減少させるために、前記スモールセルに関連付けられる構成を切り替えることと
を行わせる、コンピュータ可読記憶媒体。
【請求項２８】
前記プロセッサ上で前記コンピュータ実行可能命令を実行することが、前記プロセッサに、前記時間ドメインにおける干渉を減少させるために、前記スモールセルに関連付けられる前記構成を低ダウンリンク構成に切り替えることをさらに行わせる、請求項27に記載のコンピュータ可読記憶媒体。
【請求項２９】
前記プロセッサ上で前記コンピュータ実行可能命令を実行することが、前記周波数ドメインにおける干渉を減少させるために、前記プロセッサに、前記スモールセルに関連付けられる前記構成を、低帯域幅構成、前記しきい値を下回るトラフィックを有する1つまたは複数の追加のスモールセルと同じ周波数、あるいは前記しきい値を下回るトラフィックを有する前記1つまたは複数の追加のスモールセルと同じチャネル番号のうちの1つまたは複数に切り替えることを行わせる、請求項27に記載のコンピュータ可読記憶媒体。
【請求項３０】
前記プロセッサ上で前記コンピュータ実行可能命令を実行することが、前記プロセッサに、前記電力ドメインにおける干渉を減少させるために、前記1つまたは複数のWi-Fi測定値と組み合わせて1つまたは複数のセルラー測定値に基づいて、前記スモールセルに関連付けられる送信電力を適合させることを行わせる、請求項27に記載のコンピュータ可読記憶媒体。
【国際調査報告】
2016534655.tif 000022
2016534655.tif 000023
2016534655.tif 000024
2016534655.tif 000025